(57)【要約】【課題】単位リピート配置部の長手方向リピート長さをプレート部材の短手方向長さの（２×ａ）倍等として「意匠性の向上」、「部材の簡素化」、「製造効率の上昇」を同時に実現する。【解決手段】長手方向長さＬと短手方向長さＳを有したプレート部材２を複数有したリピート配置システム１である。長手方向長さＬと短手方向長さＳの比ａ：ｂ（長手方向長さＬ：短手方向長さＳ＝ａ：ｂ）におけるａとｂは、互いに素の正の整数であり且つａはｂより大きく（ａ＞ｂ）、プレート部材２を２枚１組として隣接させて単位ユニット３が形成され、単位ユニット３を複数隣接させて単位リピート配置部４が繰り返し形成され、単位リピート配置部４の長手方向リピート長さＲL が、短手方向長さＳの（２×ａ）倍（２×ａ×短手方向長さＳ）である。ａがｂの正の整数倍ではない（ａ≠ｎ×ｂ、ｎは正の整数）プレート部材２でも良い。【選択図】図１
2018003417.tif 000002
【特許請求の範囲】
【請求項１】
長手方向長さと短手方向長さを有したプレート部材を複数有したリピート配置システムであって、
前記長手方向長さと短手方向長さの比ａ：ｂ（長手方向長さ：短手方向長さ＝ａ：ｂ）におけるａとｂは、互いに素の正の整数であり且つａはｂより大きく（ａ＞ｂ）、
前記プレート部材を２枚１組として隣接させて単位ユニットが形成され、
この単位ユニットを複数隣接させて単位リピート配置部が繰り返し形成され、
この単位リピート配置部は、当該単位リピート配置部内における所定のプレート部材が当該単位リピート配置部において前記所定のプレート部材の長手方向に沿った同一位置に再び出現するまでの長手方向リピート長さが、前記短手方向長さの（２×ａ）倍（２×ａ×短手方向長さ）であることを特徴とするリピート配置システム。
【請求項２】
前記単位リピート配置部は、当該単位リピート配置部内における所定のプレート部材が当該単位リピート配置部において前記所定のプレート部材の短手方向に沿った同一位置に再び出現するまでの短手方向リピート長さも、前記短手方向長さの（２×ａ）倍（２×ａ×短手方向長さ）であることを特徴とする請求項１に記載のリピート配置システム。
【請求項３】
長手方向長さと短手方向長さを有したプレート部材を複数有したリピート配置システムであって、
前記長手方向長さと短手方向長さの比ａ：ｂ（長手方向長さ：短手方向長さ＝ａ：ｂ）におけるａとｂは、互いに素の正の整数であり且つａはｂより大きく（ａ＞ｂ）、
前記プレート部材を２枚１組として隣接させて単位ユニットが形成され、
この単位ユニットを複数隣接させて単位リピート配置部が繰り返し形成され、
この単位リピート配置部は、当該単位リピート配置部内における所定のプレート部材が当該単位リピート配置部において前記所定のプレート部材の長手方向に沿った同一位置に再び出現するまでの長手方向リピート長さが、前記短手方向長さの（２×ａ）倍（２×ａ×短手方向長さ）以上である、及び／又は、
前記単位リピート配置部は、前記単位リピート配置部内における所定のプレート部材が当該単位リピート配置部において前記所定のプレート部材の短手方向に沿った同一位置に再び出現するまでの短手方向リピート長さが、前記短手方向長さの（２×ａ）倍（２×ａ×短手方向長さ）以上であることを特徴とするリピート配置システム。
【請求項４】
長手方向長さと短手方向長さを有したプレート部材であって、
前記長手方向長さと短手方向長さの比ａ：ｂ（長手方向長さ：短手方向長さ＝ａ：ｂ）におけるａとｂは、互いに素の正の整数であり且つａはｂより大きく（ａ＞ｂ）、ａはｂの正の整数倍ではない（ａ≠ｎ×ｂ、ｎは正の整数）ことを特徴とするプレート部材。
【請求項５】
前記プレート部材は、略矩形であり、
前記プレート部材は、当該プレート表面の端縁を面取りした面取部を備えると共に、当該プレート表面に長手方向に略沿って形成された溝部を少なくとも１つ備え、
この溝部の溝幅は、前記面取部の面取幅の略２倍であることを特徴とする請求項１〜３の何れか１項に記載のリピート配置システム又は請求項４に記載のプレート部材。
【請求項６】
前記溝部は、前記プレート部材における短手方向長さを略等分する位置に形成されていることを特徴とする請求項５に記載のリピート配置システム又はプレート部材。
【発明の詳細な説明】
【技術分野】
【０００１】
本発明は、長手方向長さと短手方向長さを有したプレート部材を複数有したリピート配置システム、及び、プレート部材に関する。
【背景技術】
【０００２】
従来、タイルユニットが知られている（特許文献１）。
このタイルユニットは、複数のタイルと、前記複数のタイルを目地間隙を維持したまま一体に連結するタイル連結手段とを具え、前記タイル連結手段は、前記タイルの接着面をなす裏面を露出させるとともに、前記タイルの少なくとも側面を接着剤を用いることなく着脱可能に把持する。
【先行技術文献】
【特許文献】
【０００３】
【特許文献１】特開２０１１−１７５１号公報
【発明の概要】
【発明が解決しようとする課題】
【０００４】
しかしながら、特許文献１に記載されたタイルユニットは、複数のタイルの他に、当該複数のタイルを目地間隙を維持したまま一体に連結するタイル連結手段も具えており、このタイル連結手段によって、タイルユニットを施工した時に出現する配置パターンが限定され、意匠性が低い。
更に、特許文献１のタイルユニットは、複数のタイルを連結するタイル連結手段が、目地間隙を維持したまま一体に連結させるため、タイル連結手段が複雑化すると共に、施工する配置パターン応じたタイル連結手段が必要となると共に、製造効率が低下する。
【０００５】
そこで、本発明は、単位リピート配置部の長手方向リピート長さをプレート部材の短手方向長さの（２×ａ）倍等とすることで、１種類のプレート部材を製造するだけで、意匠性の向上、部材の簡素化、製造効率の上昇を同時に実現できるリピート配置システムやプレート部材を提供することを目的とする。
【課題を解決するための手段】
【０００６】
本発明に係るリピート配置システム１は、長手方向長さと短手方向長さを有したプレート部材を複数有したリピート配置システムであって、前記長手方向長さと短手方向長さの比ａ：ｂ（長手方向長さ：短手方向長さ＝ａ：ｂ）におけるａとｂは、互いに素の正の整数であり且つａはｂより大きく（ａ＞ｂ）、前記プレート部材を２枚１組として隣接させて単位ユニットが形成され、この単位ユニットを複数隣接させて単位リピート配置部が繰り返し形成され、この単位リピート配置部は、当該単位リピート配置部内における所定のプレート部材が当該単位リピート配置部において前記所定のプレート部材の長手方向に沿った同一位置に再び出現するまでの長手方向リピート長さが、前記短手方向長さの（２×ａ）倍（２×ａ×短手方向長さ）であることを第１の特徴とする。
【０００７】
本発明に係るリピート配置システム１の第２の特徴は、上記第１の特徴に加えて、前記単位リピート配置部は、当該単位リピート配置部内における所定のプレート部材が当該単位リピート配置部において前記所定のプレート部材の短手方向に沿った同一位置に再び出現するまでの短手方向リピート長さも、前記短手方向長さの（２×ａ）倍（２×ａ×短手方向長さ）である点にある。
【０００８】
本発明に係るリピート配置システム１の第３の特徴は、長手方向長さと短手方向長さを有したプレート部材を複数有したリピート配置システムであって、前記長手方向長さと短手方向長さの比ａ：ｂ（長手方向長さ：短手方向長さ＝ａ：ｂ）におけるａとｂは、互いに素の正の整数であり且つａはｂより大きく（ａ＞ｂ）、前記プレート部材を２枚１組として隣接させて単位ユニットが形成され、この単位ユニットを複数隣接させて単位リピート配置部が繰り返し形成され、この単位リピート配置部は、当該単位リピート配置部内における所定のプレート部材が当該単位リピート配置部において前記所定のプレート部材の長手方向に沿った同一位置に再び出現するまでの長手方向リピート長さが、前記短手方向長さの（２×ａ）倍（２×ａ×短手方向長さ）以上である、及び／又は、前記単位リピート配置部は、前記単位リピート配置部内における所定のプレート部材が当該単位リピート配置部において前記所定のプレート部材の短手方向に沿った同一位置に再び出現するまでの短手方向リピート長さが、前記短手方向長さの（２×ａ）倍（２×ａ×短手方向長さ）以上である点にある。
【０００９】
本発明に係るリピート配置システム１の第４の特徴は、上記第１〜３の特徴に加えて、前記プレート部材は、略矩形であり、前記プレート部材は、当該プレート表面の端縁を面取りした面取部を備えると共に、当該プレート表面に長手方向に略沿って形成された溝部を少なくとも１つ備え、この溝部の溝幅は、前記面取部の面取幅の略２倍である点にある。
【００１０】
本発明に係るリピート配置システム１の第５の特徴は、上記第４の特徴に加えて、前記溝部は、前記プレート部材における短手方向長さを略等分する位置に形成されている点にある。
【００１１】
これらの特徴により、プレート部材２の長手方向長さＬと短手方向長さＳの比ａ：ｂにおけるａとｂを、互いに素の正の整数とし且つａをｂより大きくし（ａ＞ｂ）、プレート部材２を２枚１組として隣接させた単位ユニット３を形成し、単位ユニット３を複数隣接させて単位リピート配置部４を形成し、単位リピート配置部４の長手方向リピート長さＲL を短手方向長さＳの（２×ａ）倍（２×ａ×短手方向長さＳ）とすることで、特許文献１のタイルユニットとは異なり、１種類のプレート部材２を製造するだけで、様々な配置パターンを出現させることが出来、単位リピート配置部４において長手方向リピート長さＲL が、長手方向長さＬと短手方向長さＳの比ａ：ｂによって容易に調整でき、プレート部材２における長手方向長さＬと短手方向長さＳの差が小さくとも（すなわち、プレート部材２が過度に長細くならずとも）、十分な長手方向リピート長さＲL を持った単位リピート配置部４を形成でき、単調な繰り返しとならず、意匠性に富んだリピート配置システム１となる。
更に、特許文献１のタイルユニットの連結手段のように、複雑化することもなく、施工する配置パターン応じた別部材が必須とはならないため、製造効率が上昇する。
よって、「意匠性の向上」、「部材の簡素化」、「製造効率の上昇」を同時に実現できる。
尚、リピート配置システム１の上記の特徴を換言すれば、単位リピート配置部４の長手方向リピート長さＲL が短手方向長さＳの（２×ａ）倍（２×ａ×短手方向長さＳ）となるように、プレート部材２を２枚１組として隣接させて単位ユニット３を形成し、単位ユニット３を複数隣接させて単位リピート配置部４を形成しているとも言える。
それに加えて、単位リピート配置部４の短手方向リピート長さＲS も、短手方向長さＳの（２×ａ）倍（２×ａ×短手方向長さＳ）としても良い。
そして、プレート部材２の長手方向長さＬと短手方向長さＳの比ａ：ｂにおけるａとｂを、互いに素の正の整数とし且つａをｂより大きくし（ａ＞ｂ）、プレート部材２を２枚１組として隣接させた単位ユニット３を形成し、単位ユニット３を複数隣接させて単位リピート配置部４を形成し、単位リピート配置部４は、長手方向リピート長さＲL を短手方向長さＳの（２×ａ）倍（２×ａ×短手方向長さＳ）以上とする、及び／又は、短手方向リピート長さＲS を短手方向長さＳの（２×ａ）倍（２×ａ×短手方向長さＳ）としても良い。
【００１２】
又、プレート部材２を略矩形とし、プレート表面１０の端縁に面取部１１と、プレート表面１０に長手方向に略沿った溝部１２を少なくとも１つ備え、溝部１２の溝幅１２Ｗを面取部１１の面取幅１１Ｗの略２倍とすることで、１つのプレート部材２内に柄の最小単位（プレート表面１０の平坦な部分（面取部１１及び溝部１２以外の部分））を複数形成でき、当然にプレート部材２自体の大きさが柄の最小単位より大きくなるため、柄の最小単位ごとに分かれた部材を施工する場合と比べて、纏めてプレート部材２として施工できる分だけ施工性が向上する。
これに加えて、柄の最小単位よりプレート部材２の方が大きいため、施工する下地（不陸など凹凸）の影響を受け難い。
尚、これらの特徴と同時に、溝部１２を、プレート部材２における短手方向長さＳを略等分する位置に形成しても良い。
【００１３】
本発明に係るプレート部材２は、長手方向長さと短手方向長さを有したプレート部材であって、前記長手方向長さと短手方向長さの比ａ：ｂ（長手方向長さ：短手方向長さ＝ａ：ｂ）におけるａとｂは、互いに素の正の整数であり且つａはｂより大きく（ａ＞ｂ）、ａはｂの正の整数倍ではない（ａ≠ｎ×ｂ、ｎは正の整数）ことを第１の特徴とする。
【００１４】
本発明に係るプレート部材２の第２の特徴は、上記第１の特徴に加えて、前記プレート部材は、略矩形であり、前記プレート部材は、当該プレート表面の端縁を面取りした面取部を備えると共に、当該プレート表面に長手方向に略沿って形成された溝部を少なくとも１つ備え、この溝部の溝幅は、前記面取部の面取幅の略２倍である点にある。
【００１５】
本発明に係るプレート部材２の第３の特徴は、上記第１の特徴に加えて、前記溝部は、前記プレート部材における短手方向長さを略等分する位置に形成されている点にある。
【００１６】
これらの特徴により、プレート部材２の長手方向長さＬと短手方向長さＳの比ａ：ｂにおけるａとｂを、互いに素の正の整数とし且つａをｂより大きくし（ａ＞ｂ）、ａをｂの正の整数倍でなくする（ａ≠ｎ×ｂ、ｎは正の整数）ことで、プレート部材２における長手方向長さＬと短手方向長さＳの差が小さくとも（すなわち、プレート部材２が過度に長細くならずとも）、特に、ａ≠ｎ×ｂとしているため、施工された複数のプレート部材のうち、所定のプレート部材２が隣接するプレート部材２に対する同一の相対位置に再び出現するまでの長さが、十分な長さとなり、単調な繰り返しとならず、意匠性に富むように、プレート部材２を施工・配置できる。
又、特許文献１のタイルユニットの連結手段のように、複雑化することもなく、施工する配置パターン応じた別部材が必須とはならないため、製造効率が上昇する。
これによって、「意匠性の向上」、「部材の簡素化」、「製造効率の上昇」を同時に実現できると言える。
【００１７】
又、プレート部材２を略矩形とし、プレート表面１０の端縁に面取部１１と、プレート表面１０に長手方向に略沿った溝部１２を少なくとも１つ備え、溝部１２の溝幅１２Ｗを面取部１１の面取幅１１Ｗの略２倍とすることで、１つのプレート部材２内に柄の最小単位（プレート表面１０の平坦な部分（面取部１１及び溝部１２以外の部分））を複数形成でき、当然にプレート部材２自体の大きさが柄の最小単位より大きくなるため、柄の最小単位ごとに分かれた部材を施工する場合と比べて、纏めてプレート部材２として施工できる分だけ施工性が向上する。
これに加えて、柄の最小単位よりプレート部材２の方が大きいため、施工する下地（不陸など凹凸）の影響を受け難い。
尚、これらの特徴と同時に、溝部１２を、プレート部材２における短手方向長さＳを略等分する位置に形成しても良い。
【発明の効果】
【００１８】
本発明に係るリピート配置システムによると、単位リピート配置部のリピート長さをプレート部材の短手方向長さの（２×ａ）倍等とすることで、１種類のプレート部材を製造するだけで、「意匠性の向上」、「部材の簡素化」、「製造効率の上昇」を同時に実現できる。
【図面の簡単な説明】
【００１９】
【図１】は、本発明の第１実施形態に係る実施例１−１（ａ：ｂ＝３：２（＝１．５：１．０））のリピート配置システム及びプレート部材を示す平面概要図である。
【図２】は、実施例１−１のプレート部材における断面図を示し、（ａ）はプレート部材の平面図であり、（ｂ）はプレート部材の長手方向視における断面図であり、（ｃ）はプレート部材の短手方向視における断面図である。
【図３】は、実施例１−１のプレート部材及びプレート表面を示す斜視図の図面代用写真である。
【図４】は、本発明の第１実施形態に係る実施例１−２（ａ：ｂ＝７：５（＝１．４：１．０））のリピート配置システム及びプレート部材を示す平面概要図である。
【図５】は、本発明の第１実施形態に係る実施例１−３（ａ：ｂ＝６：５（＝１．２：１．０））のリピート配置システム及びプレート部材を示す平面概要図である。
【図６】は、本発明の第１実施形態に係る実施例１−４（ａ：ｂ＝８：５（＝１．６：１．０））のリピート配置システム及びプレート部材を示す平面概要図である。
【図７】は、本発明の第１実施形態に係る実施例１−５（ａ：ｂ＝９：５（＝１．８：１．０））のリピート配置システム及びプレート部材を示す平面概要図である。
【図８】は、本発明の第１実施形態に係る実施例１−６（ａ：ｂ＝２：１（＝２．０：１．０））のリピート配置システム及びプレート部材を示す平面概要図である。
【図９】は、本発明の第１実施形態に係る実施例１−７（ａ：ｂ＝１１：５（＝２．２：１．０））のリピート配置システム及びプレート部材を示す平面概要図である。
【図１０】は、本発明の第１実施形態に係る実施例１−８（ａ：ｂ＝１２：５（＝２．４：１．０））のリピート配置システム及びプレート部材を示す平面概要図である。
【図１１】は、本発明の第１実施形態に係る実施例１−９（ａ：ｂ＝３：１（＝３．０：１．０））のリピート配置システム及びプレート部材を示す平面概要図である。
【図１２】は、本発明の第１実施形態に係る実施例１−１０（ａ：ｂ＝５：１（＝５．０：１．０））のリピート配置システム及びプレート部材を示す平面概要図である。
【図１３】は、本発明の第１実施形態に係る実施例１−１１（ａ：ｂ＝３：２（＝１．５：１．０））のリピート配置システム及びプレート部材を示す平面概要図であって、（ａ）は平面視形状が略矩形の各辺に凹凸（段差や波形など）が設けられた形状のプレート部材を示す平面概要図であり、（ｂ）は平面視形状が略平行四辺形のプレート部材を示す平面概要図である。
【図１４】は、本発明の第２実施形態に係る実施例２−１（ａ：ｂ：ｃ：ｄ＝９：５：１：０（＝１．８：１．０：０．２：０．０））のリピート配置システム及びプレート部材を示す平面概要図である。
【図１５】は、本発明の第２実施形態に係る実施例２−２（ａ：ｂ：ｃ：ｄ＝９：５：２：０（＝１．８：１．０：０．４：０．０））のリピート配置システム及びプレート部材を示す平面概要図である。
【図１６】は、本発明の第２実施形態に係る実施例２−３（ａ：ｂ：ｃ：ｄ＝９：５：３：０（＝１．８：１．０：０．６：０．０））のリピート配置システム及びプレート部材を示す平面概要図である。
【図１７】は、本発明の第２実施形態に係る実施例２−４（ａ：ｂ：ｃ：ｄ＝９：５：４：０（＝１．８：１．０：０．８：０．０））のリピート配置システム及びプレート部材を示す平面概要図である。
【図１８】は、本発明の第２実施形態に係る実施例２−５（ａ：ｂ：ｃ：ｄ＝９：５：５：０（＝１．８：１．０：１．０：０．０））のリピート配置システム及びプレート部材を示す平面概要図である。
【図１９】は、本発明の第２実施形態に係る実施例２−６（ａ：ｂ：ｃ：ｄ＝９：５：０：１（＝１．８：１．０：０．０：０．２））のリピート配置システム及びプレート部材を示す平面概要図である。
【図２０】は、本発明の第２実施形態に係る実施例２−７（ａ：ｂ：ｃ：ｄ＝９：５：０：２（＝１．８：１．０：０．０：０．４））のリピート配置システム及びプレート部材を示す平面概要図である。
【図２１】は、本発明の第２実施形態に係る実施例２−８（ａ：ｂ：ｃ：ｄ＝９：５：０：３（＝１．８：１．０：０．０：０．６））のリピート配置システム及びプレート部材を示す平面概要図である。
【図２２】は、本発明の第２実施形態に係る実施例２−９（ａ：ｂ：ｃ：ｄ＝９：５：０：８（＝１．８：１．０：０．０：１．６））のリピート配置システム及びプレート部材を示す平面概要図である。
【図２３】は、本発明の第２実施形態に係る実施例２−１０（ａ：ｂ：ｃ：ｄ＝９：５：０：９（＝１．８：１．０：０．０：１．８））のリピート配置システム及びプレート部材を示す平面概要図である。
【図２４】は、本発明の第２実施形態に係る実施例２−１１（ａ：ｂ：ｃ：ｄ＝９：５：０：１０（＝１．８：１．０：０．０：２．０））のリピート配置システム及びプレート部材を示す平面概要図である。
【発明を実施するための形態】
【００２０】
＜リピート配置システム１とこれを配置する面の全体構成＞
以下、本発明の実施形態を、図面を参照して説明する。
図１〜２４には、本発明の第１実施形態及び第２実施形態に係るリピート配置システム１及びプレート部材２が示されている。
【００２１】
リピート配置システム１は、プレート部材２を複数有している。
又、リピート配置システム１では、プレート部材２を２枚１組として単位ユニット３が形成され、この単位ユニット２を複数隣接させて単位リピート配置部４が形成されている。
【００２２】
このようなリピート配置システム１（プレート部材２）は、例えば、床面や壁面、天井面などの内装面や、外装面などの面（面部材）を覆うように配置される。
以下、リピート配置システム１やプレート部材２を配置する面は、主に床面であるとして述べる。
【００２３】
リピート配置システム１（プレート部材２）は、床面等の面に配置されていれば、何れの構成であっても良いが、例えば、床面等に対して、粘着剤（接着剤）や両面テープなどの粘着部材によって、貼り付けられていても構わない。
この粘着部材は、リピート配置システム１（プレート部材２）を床面等に配置する（敷き詰める、又は、施工する）際に、当該床面等に塗布しても良い。
【００２４】
又、粘着部材は、リピート配置システム１を形成するプレート部材２の裏面２ａに予め塗布されていても良く、この塗布パターンは、例えば、２枚のプレート部材２の向き（長手方向Ｌ’又は短手方向Ｓ’）を１８０度回転させて且つ互いの裏面２ａが合わさるように重ねた時に、それぞれの裏面２ａに塗布された粘着部材同士が、互い違いとなるようなパターンであっても良い。
その他、リピート配置システム１やプレート部材２は、粘着部材を用いずに、床面等に置いた（載置された）だけの状態で配置されていても良い。
【００２５】
リピート配置システム１における各プレート部材２間は、隙間Ｍなく敷き詰めても良いが、隙間（又は、別の部材）Ｍがあっても、床面等の面に配置されるのであれば、構わない。
以下、各プレート部材２を隙間Ｍなく敷き詰めて配置したリピート配置システム１を第１実施形態とし、各プレート部材２間に隙間（又は別の部材）Ｍを有しながら敷き詰めて配置したリピート配置システム１を第２実施形態とする。
【００２６】
＜プレート部材２＞
図１〜２４（特に、図２、３）に示したように、プレート部材２は、上述したリピート配置システム１を形成するものであって、長手方向長さＬと短手方向長さＳを有している。
つまり、長手方向長さＬと短手方向長さＳの比をａ：ｂとすれば（長手方向長さＬ：短手方向長さＳ＝ａ：ｂとすれば）、この比におけるａは、ｂより大きい（ａ＞ｂ）と言える。
【００２７】
従って、プレート部材２は、長手方向Ｌ’と短手方向Ｓ’を有していると言え、プレート部材２における長手方向長さＬと短手方向長さＳの比ａ：ｂのａとｂは、互いに素の（２つの整数が１または−１以外の公約数をもたない）正の整数で表現できる。
尚、この比ａ：ｂにおけるａとｂは、互いに素でない正の整数としても表現できる（例えば、ａ：ｂ＝３：２の場合、ａ：ｂ＝６：４＝９：６＝・・・）が、後に詳解するリピート長さＲ（長手方向リピート長さＲL や短手方向リピート長さＲS ）を計算する際には、ａやｂは、互いに素である値を用いる。
【００２８】
プレート部材２は、長手方向長さＬと短手方向長さＳ（長手方向Ｌ’と短手方向Ｓ’）を有していれば、プレート部材２の平面視での形状（平面視形状）や、長手方向長さＬと短手方向長さＳの比ａ：ｂ、実際の大きさ（長手方向長さＬや短手方向長さＳの実際の長さ）、厚さｔ、素材、そして、プレート表面１０の色・模様等は、特に限定はないが、例えば、平面視形状であれば、例えば、略矩形であったり、略矩形の各辺に凹凸（段差や波形など）が設けられた形状（図１３（ａ）参照）や、略平行四辺形（図１３（ｂ）参照）、略平行四辺形の各辺に凹凸（段差や波形など）が設けられた形状であっても良い。
以下、プレート部材２の平面視形状は、主に略矩形である場合について詳解する。
【００２９】
＜長手方向長さと短手方向長さの比ａ：ｂ＞
図１、３〜２４に示したように、プレート部材２の長手方向長さＬと短手方向長さＳ（平面視形状が略矩形である場合には、長辺長さＬと短辺長さＳ）の比ａ：ｂは、特に限定はないが、例えば、比ａ：ｂは、３：２（＝１．５：１．０）や、７：５（＝１．４：１．０）、６：５（＝１．２：１．０）、８：５（＝１．６：１．０）、９：５（＝１．８：１．０）、２：１（＝２．０：１．０）、１１：５（＝２．２：１．０）、１２：５（＝２．４：１．０）、３：１（＝３．０：１．０）、５：１（＝５．０：１．０）などであっても良い。
この他、比ａ：ｂは、１３：１０（＝１．３：１．０）や、１１：１０（＝１．１：１．０）、１７：１０（＝１．７：１．０）、１９：１０（＝１．９：１．０）、２１：１０（＝２．１：１．０）、２３：１０（＝２．３：１．０）、２５：１０（＝２．５：１．０）、４：１（＝４．０：１．０）、６：１（＝６．０：１．０）、７：１（＝７．０：１．０）、８：１（＝８．０：１．０）、９：１（＝９．０：１．０）、１０：１（＝１０．０：１．０）などでも良く、更には、１５１：１００（＝１．５１：１．００）、１４９：１００（＝１．４９：１．００）などであっても構わない。
【００３０】
尚、比ａ：ｂを、ａがｂの正の整数倍ではない（ａ≠ｎ×ｂ、ｎは正の整数）もの（つまり、比ａ：ｂが、２：１（＝２．０：１．０）や、３：１（＝３．０：１．０）、４：１（＝４．０：１．０）、５：１（＝５．０：１．０）、６：１（＝６．０：１．０）、７：１（＝７．０：１．０）、８：１（＝８．０：１．０）、９：１（＝９．０：１．０）、１０：１（＝１０．０：１．０）などではないもの）としても良い。
この場合の比ａ：ｂは、具体的には、３：２（＝１．５：１．０）や、７：５（＝１．４：１．０）、１３：１０（＝１．３：１．０）、６：５（＝１．２：１．０）、１１：１０（＝１．１：１．０）、８：５（＝１．６：１．０）、１７：１０（＝１．７：１．０）、９：５（＝１．８：１．０）、１９：１０（＝１．９：１．０）、２１：１０（＝２．１：１．０）、１１：５（＝２．２：１．０）、２３：１０（＝２．３：１．０）、１２：５（＝２．４：１．０）、２５：１０（＝２．５：１．０）や、１５１：１００（＝１．５１：１．００）、１４９：１００（＝１．４９：１．００）など、ａとｂを互いに素の正の整数で表現した際に、ｂが１ではない比の値となる。
【００３１】
＜長手方向長さ（長辺長さ）Ｌ、短手方向長さ（短辺長さ）Ｓ＞
図１、３〜２４に示したように、プレート部材２の実際の大きさ（長手方向長さＬや短手方向長さＳの実際の長さ）も、特に限定はなく、例として、長手方向長さＬと短手方向長さＳの比ａ：ｂが３：２（＝１．５：１．０）である場合を述べれば、長手方向長さ（長辺長さ）Ｌが４５７．２ｍｍで短手方向長さ（短辺長さ）Ｓが３０４．８ｍｍであったり、長手方向長さＬが４５０．０ｍｍで短手方向長さＳが３００．０ｍｍ、長手方向長さＬが３００．０ｍｍで短手方向長さＳが２００．０ｍｍなどであっても良い。
プレート部材２の実際の大きさについて、別の表現をすれば、長手方向長さＬと短手方向長さＳの比ａ：ｂさえ所定の値であれば、例えば、長手方向長さ（長辺長さ）Ｌが１．０ｍｍ以上１００００．０ｍｍ、好ましくは１０．０ｍｍ以上５０００．０ｍｍ、更に好ましくは５０．０ｍｍ以上１０００．０ｍｍであっても良く、その際の短手方向長さ（短辺長さ）Ｓを、Ｌをａで割った商と、ｂの積（＝（Ｌ÷ａ）×ｂ）としても構わない。
【００３２】
プレート部材２の厚さｔも、特に限定はなく、例えば、０．１ｍｍ以上１００．０ｍｍ以下、好ましくは０．５ｍｍ以上５０．０ｍｍ、更に好ましくは１．０ｍｍ以上１０．０ｍｍ（３．０ｍｍなど）であっても良い。
プレート部材２の素材（構成）についても、特に限定はなく、例えば、塩化ビニル（ＰＶＣ）などの合成樹脂で構成されたタイルであったり、基布とパイルを有したタイルカーペットや、陶磁器（セラミック等）や大理石、コルク、ガラス等のタイル、石膏等のボード、粘土や頁岩、泥等の煉瓦、コンクリート、アスファルトなどのブロックなど、何れであっても構わない。
【００３３】
＜プレート表面１０など＞
図１〜２４（特に、図２、３）に示したように、プレート部材２は、その表面（プレート表面１０）の色・模様も、何れであっても良いが、例えば、木目調の色・模様であったり、白色などの明色であって、無地や自然石風などの模様であっても良い。
その他、プレート表面１０には、模様等に沿って、若干の凹凸があっても良く、又、所定の色・模様の表面部材を、基材に貼り付ける構成であっても良い。
【００３４】
尚、プレート部材２が基布とパイルを有した構成の場合は、プレート表面１０がパイル（ループパイルやカットパイル等）に覆われることとなる。
一方、プレート部材２の裏面についても、何れの構成であっても良く、例えば、色・模様について述べれば、黒など暗色の無地であっても良く、又、滑り止め等のために、プレート部材２の裏面に凹凸が形成されていても構わない。
【００３５】
その他、プレート部材２の裏面には、上述したように、粘着剤が塗布されていたり、両面テープや面ファスナー等が設けられていても良い。
プレート部材２におけるプレート表面１０には、その端縁の面取部１１を備えていたり、当該プレート表面１０に長手方向Ｌ’に略沿った溝部１２を少なくとも１つ備えていても良い。
【００３６】
＜面取部１１、面取幅１１Ｗ＞
図１〜２４（特に、図２、３）に示したように、プレート部材２は、そのプレート表面１０の端縁を面取りした面取部１１を備えている。
尚、プレート部材２の平面視形状が略矩形状である場合、面取部１１は、プレート部材２の４つの辺（２つの長辺と２つの短辺）における端縁の何れにも（つまり、プレート表面１０の周縁全体に）形成されていたり、４つの辺のうち、少なくとも１つの辺における端縁全体を面取りして形成されていても良く、更には、プレート表面１０の４つの辺のうち、少なくとも１つの辺における端縁の一部に面取りして形成されていても構わない。
【００３７】
又、プレート部材２の平面視形状が略矩形状以外（略矩形の各辺に凹凸が設けられた形状や、略平行四辺形など）である場合でも、面取部１１がプレート表面１０の周縁全体に形成されていたり、プレート表面１０の全ての辺のうち、少なくとも１つの辺における端縁全体を面取りしたり、少なくとも１つの辺における端縁の一部又は全部を面取りして形成されていても構わない。
面取部１１の面取幅（プレート部材２の平面視における面取部１１の幅）１１Ｗは、特に限定はないが、例えば、０．１ｍｍ以上１０．０ｍｍ以下、好ましくは０．３ｍｍ以上５．０ｍｍ、更に好ましくは０．６ｍｍ以上２．０ｍｍ（１．０ｍｍなど）であっても良い。
【００３８】
尚、面取部１１は、プレート表面１０の端縁を斜めに切断することで形成されるが、面取部１１のプレート表面１０に対する角度も、特に限定はなく、例えば、３０°以上６０°以下、好ましくは３５°以上５５°、更に好ましくは４０°以上５０°（略４５°など）であっても良い。
又、面取部１１の深さ（プレート部材２の側面視における面取部１１の幅）も、特に限定はないが、面取部１１のプレート表面１０に対する角度が略４５°である場合には、面取幅１１Ｗと略同一の値となり、例えば、０．１ｍｍ以上１０．０ｍｍ以下、好ましくは０．３ｍｍ以上５．０ｍｍ、更に好ましくは０．６ｍｍ以上２．０ｍｍ（１．０ｍｍなど）であっても良い。
面取部１１は、斜めに切断して形成しても良いし、押圧加工により形成しても構わず、その手段は問わない。又、面取部１１は、後から着色しても構わないし、斜めに切断して下地の色相を露出させても何ら構わない。更に、面取部１１に保護塗装等が施されても構わない。
【００３９】
＜溝部１２、溝幅１２Ｗ＞
図１〜２４（特に、図２、３）に示したように、プレート部材２は、そのプレート表面１０に対して、長手方向Ｌ’に略沿って形成された溝部１２を少なくとも１つ備えている。
尚、プレート部材２の平面視形状が略矩形状である場合、溝部１２は、プレート部材２における２つの長辺に略沿って形成されることとなり、溝部１２の長さは、その長辺長さＬと略同じ長さであったり、又は、長辺長さＬより短くとも良い。
【００４０】
又、プレート部材２の平面視形状が略矩形状以外（略矩形の各辺に凹凸が設けられた形状や、略平行四辺形など）である場合でも、溝部１２が、そのプレート表面１０に対して、長手方向Ｌ’に略沿って形成されていても良く、その場合の溝部１２の長さは、長手方向長さＬと略同じ長さであったり、又は、長手方向長さＬより短くとも構わない。
溝部１２の溝幅（プレート部材２の平面視における溝部１２の幅）１２Ｗは、特に限定はないが、例えば、０．２ｍｍ以上２０．０ｍｍ以下、好ましくは０．６ｍｍ以上１０．０ｍｍ、更に好ましくは１．２ｍｍ以上４．０ｍｍ（２．０ｍｍなど）であっても良い。
【００４１】
溝部１２は、プレート表面１０に連続する凹部を設けることで形成されるが、このような凹部（つまり、溝部１２）の溝部１２の深さも、面取部１１と同様に、特に限定はないが、例えば、０．１ｍｍ以上１０．０ｍｍ以下、好ましくは０．３ｍｍ以上５．０ｍｍ、更に好ましくは０．６ｍｍ以上２．０ｍｍ（１．０ｍｍなど）であっても良い。
又、溝部１２の断面形状も、特に限定はなく、例えば、略Ｖ字形状や、横向きの略コ字状、略半円状、略半楕円状などであっても良い。
【００４２】
以下、溝部１２の断面形状は、主に略Ｖ字状である場合について詳解すると、略Ｖ字の溝部１２は、その溝幅方向における略中央が最も凹んでおり、溝部１２の溝縁から、略中央の最も凹んだ部分に向けて斜めに切り込むことで形成される。
切り込んだ略Ｖ字状の溝部１２のプレート表面１０に対する角度も、特に限定はなく、例えば、３０°以上６０°以下、好ましくは３５°以上５５°、更に好ましくは４０°以上５０°（略４５°など）であっても良い。
溝部１２は、面取部１１同様に、切断して形成しても良いし、押圧加工により形成しても構わず、その手段は問わない。又、溝部１２は、後から着色しても構わないし、斜めに切断して下地の色相を露出させても何ら構わない。更に、溝部１２に保護塗装等が施されても構わない。
【００４３】
ここまで述べたプレート部材２により、１つのプレート部材２内に柄の最小単位（プレート表面１０において面取部１１及び溝部１２に囲まれる部分）を複数形成でき、当然にプレート部材２自体の大きさが柄の最小単位より大きくなるため、柄の最小単位ごとに分かれた部材を施工する場合と比べて、纏めてプレート部材２として施工できる分だけ施工性が向上する。
これに加えて、柄の最小単位よりプレート部材２の方が大きいため、施工する下地（不陸など凹凸）の影響を受け難い。
【００４４】
尚、溝部１２の溝幅１２Ｗは、面取部１１の面取幅１１Ｗの略２倍であっても良く、隣接するプレート部材２同士の面取部１１が合わさった場合に、当該合わさった２つの面取部１１の幅（面取幅１２Ｗの２つ分）が溝部１２の溝幅１２Ｗと略同じとなる。
特に、後述のように、溝部１２の断面形状が略Ｖ字状であれば、２つが合わさった面取部１１か溝部１２かは、一見、見分けにくくなり、隣接するプレート部材２の間の目地が目立ち難くなる。
【００４５】
又、溝部１２は、プレート部材２における短辺長さ（短手方向長さ）Ｓを略等分する位置に形成されていても良く、例えば、１つのプレート部材２が２つの溝部１２を備えている場合には、これらの溝部１２が短辺長さＳを略３等分する位置に形成される（プレート部材２における柄の最小単位が３つとなる）。
同様に、１つのプレート部材２が３つの溝部１２を備えている場合には、これらの溝部１２が短辺長さＳを略４等分する位置に形成され、４つの溝部１２を備えている場合には、これらの溝部１２が短辺長さＳを略５等分する位置に形成されることとなる。
尚、ここまで述べたプレート部材２については、第１実施形態及び第２実施形態のリピート配置システム１において共通であると言える。
【００４６】
＜単位ユニット３＞
図１、４〜２４に示したように、単位ユニット３は、上述したプレート部材２を２枚１組として（床面等の面上で）隣接させて形成されている。
このとき、単位ユニット３を構成する２枚のプレート部材２は、少なくとも平面視形状が同一であり、更に加えて、プレート部材２の厚さｔも、互いに同一であっても良い。
【００４７】
単位ユニット３は、２枚のプレート部材２を、それぞれの長手方向Ｌ’が交差するように隣接させたり、それぞれの長手方向Ｌ’が略平行となるように隣接して形成されていても良い。
まず、２枚のプレート部材２の長手方向Ｌ’が交差している場合について述べる。
【００４８】
単位ユニット３が、２枚のプレート部材２の長手方向Ｌ’を交差させている場合、その交差する角度は、当該プレート部材２における長手方向Ｌ’と短手方向Ｓ’が交差する角度と略同じである。
単位ユニット２は、２枚のプレート部材２の長手方向Ｌ’が交差していれば、その交差する２枚のプレート部材２の位置関係に特に限定はないが、例えば、単位ユニット２の全体形状（平面視形状）として、Ｌ字型であったり、略Ｌ字型、略Ｔ字型、Ｔ字型などであっても良い。
【００４９】
単位ユニット３の全体形状について個々に詳解すれば、まずＬ字型の単位ユニット３（３Ａ）は、一方のプレート部材２における一方の長辺の端部位置に、他方のプレート部材２における一方の短辺が隣接（接触）しており、一方のプレート部材２の短辺（他方のプレート部材２が隣接している側の端部）と、他方のプレート部材２の長辺（Ｌ字型の外側にある長辺）が、略一直線状になっている（図１、４〜２４参照）。
尚、図１、４〜１３で示された実施例１−１〜１−１１は、Ｌ字型の単位ユニット３Ａを有していると言えると同時に、後述する段違い型（互いの長手方向Ｌ’が略平行）の単位ユニット３を有しているとも言える（図１、４〜１３中の符号３Ｅ）。
【００５０】
一方、図１９〜２４で示された実施例２−６〜２−１２は、Ｌ字型の単位ユニット３（３Ａ）を有しているとも言えるが、それと同時に、後に述べる略Ｌ字型、略Ｔ字型、Ｔ字型の単位ユニット３を有しているとも言える（図１９〜２４中の符号３Ｂ、３Ｃ、３Ｄ）。
そこで、次に略Ｌ字型の単位ユニット３（３Ｂ）を詳解すると、略Ｌ字型の単位ユニット３Ｂは、一方のプレート部材２における一方の長辺の端部位置に、他方のプレート部材２における一方の短辺が隣接（接触）している点は、Ｌ字型と同様であるが、一方のプレート部材２の短辺（他方のプレート部材２が隣接している側の端部）が、他方のプレート部材２の長辺（Ｌ字型の外側にある長辺）と、略一直線状になっていない点で異なっている（図１９、２２、２４中の符号３Ｂ（実施例２−６、２−９、２−１１））。
【００５１】
この略Ｌ字型の単位ユニット３Ｂは、一方のプレート部材２の短辺が、他方のプレート部材２の長辺と略一直線状になっていないもの（つまり、ずれているもの）を指すが、そのずれ方は、他方のプレート部材２が、略Ｌ字型の内側へ若干ずれているもの（図１９、２２参照）や、略Ｌ字型の外側へ若干ずれているもの（図２４参照）の何れであっても良い。
尚、他方のプレート部材２が略Ｌ字型の外側へずれているもの（略Ｌ字型の単位ユニット３Ｂ）は、２つのプレート部材２の隣接状態を確保できる範囲で外側へずれている。
【００５２】
次に、略Ｔ字型の単位ユニット３（３Ｃ）を詳解すると、略Ｔ字型の単位ユニット３Ｃは、一方のプレート部材２における一方の長辺の略中央位置（正確な中央位置は除く位置）に、他方のプレート部材２における一方の短辺が隣接（接触）している（図１９、２１中の符号３Ｃ（実施例２−６、２−８））。
尚、図１９で示された単位ユニット３は、略Ｔ字型であるが、上述したように、内側へずれた略Ｌ字型の単位ユニット３Ｂであるとも言える。
【００５３】
そして、Ｔ字型の単位ユニット３（３Ｄ）を詳解すると、Ｔ字型の単位ユニット３Ｄは、一方のプレート部材２における一方の長辺のちょうど中央位置に、他方のプレート部材２における一方の短辺が隣接（接触）している（図２０中の符号３Ｄ（実施例２−７））。
このＴ字型の単位ユニット３Ｄの場合、一方のプレート部材２における一方の長辺において、他方のプレート部材２の短辺が隣接していない部分が存在するが、その隣接していない部分は、他方のプレート部材２を挟んで２箇所あり、更に、その２箇所の隣接していない部分の長さが同一である。
【００５４】
最後に、２枚のプレート部材２の長手方向Ｌ’が略平行となるように隣接して形成されている段違い型の単位ユニット３（３Ｅ）について詳解すると、段違い型の単位ユニット３Ｅは、一方のプレート部材２における一方の長辺に、他方のプレート部材２における一方における一方の長辺が隣接（接触）している（図１、４〜１３中の符号３Ｅ（実施例１−１〜１−１１））。
尚、図１、４〜１３に示したように、２つのプレート部材２の長辺同士が隣接している長さは、プレート部材２における長手方向長さ（長辺長さ）Ｌ−短手方向長さ（短辺長さ）Ｓ（つまり、Ｌ−Ｓ）となる。
【００５５】
ここまで述べたように、単位ユニット３は、２つのプレート部材２の隣接のさせ方・隣接位置・隣接させる長さ（隣接長さ）によって、同じ平面視形状となるプレート部材２を２枚用いたとしても、Ｌ字型、略Ｌ字型、略Ｔ字型、Ｔ字型、段違い型など、多種多様な全体形状に形成されることがわかる。
このように、多種多様な単位ユニット３から、その長手方向長さ：短手方向長さ＝ａ：ｂに応じて単位ユニット３を適切に配置しなくては、以下に述べる単位リピート配置部４の長手方向リピート長さＲL が短手方向長さＳの（２×ａ）倍（２×ａ×短手方向長さＳ）とはならない。
【００５６】
＜単位リピート配置部４＞
図１、４〜２４に示したように、単位リピート配置部４は、上述した単位ユニット３を複数隣接させて形成され、この単位リピート配置部４は、リピート配置システム１内で繰り返し（リピート）配置されている。
このとき、単位リピート配置部４を形成する複数の単位ユニット３は、互いの位置関係が同様となるように、それぞれが同じ向きに繰り返し隣接して配置される。
【００５７】
単位リピート配置部４は、上述した実施例（実施例１−１〜１−１１、２−１〜２−１１）に示したように、単位ユニット３（プレート部材２）を隙間（又は、別の部材）Ｍなく敷き詰めて配置した第１実施形態の配置部４と、単位ユニット３（プレート部材２）間に隙間（又は、別の部材）Ｍを有しながら敷き詰めて配置した第２実施形態の配置部４に大別される。
【００５８】
図１、４〜１３に示したように、第１実施形態における単位リピート配置部４は、この配置部４を形成する単位ユニット３は、上述した段違い型の単位ユニット３Ｅとなっている（Ｌ字型の単位ユニット３Ａとなっているとも言える）。
この第１実施形態の単位リピート配置部４では、配置部４内におけるプレート部材２の辺（プレート部材２の平面視形状が略矩形状であれば、その長辺及び短辺であり、プレート部材２の平面視形状が略矩形状でなければ、その周囲の辺（周辺））のそれぞれの部分全てが、必ず、当該プレート部材２の周りに配置された他の複数のプレート部材２のうち何れかに隣接している。
【００５９】
図１４〜２４に示したように、第２実施形態における単位リピート配置部４は、この配置部４を形成する単位ユニット３は、上述した略Ｌ字型の単位ユニット３Ｂ、略Ｔ字型の単位ユニット３Ｃ、Ｔ字型の単位ユニット３Ｄとなっている（こちらの実施形態も、Ｌ字型の単位ユニット３Ａとなっているとも言える）。
この第２実施形態の単位リピート配置部４では、隙間（又は、別の部材）Ｍがあるため、配置部４内におけるプレート部材２の辺（略矩形状のプレート部材２の長辺及び短辺や、略矩形状以外のプレート部材２の周囲の辺（周辺））のうち、当該プレート部材２の周りに配置された他の複数のプレート部材２の何れにも隣接していない部分を有している。
【００６０】
＜リピート長さＲ＞
図１、４〜２４に示したように、リピート長さＲは、上述した単位リピート配置部４内における所定のプレート部材２が当該単位リピート配置部４において同一位置に再び出現するまでの長さである。
このリピート長さＲは、具体的には、長手方向リピート長さＲL 、短手方向リピート長さＲSの２つがあり、以下、それぞれを詳解する。
【００６１】
＜長手方向リピート長さＲL ＞
図１、４〜２４に示したように、長手方向リピート長さＲL は、単位リピート配置部４内における所定のプレート部材２（例えば、単位リピート配置部４における最も左上にあるプレート部材２（図１、４〜２４中の符号２Ａ参照））が、当該単位リピート配置部４において所定のプレート部材２の長手方向Ｌ’に沿った同一位置に再び出現するまでの長さである。
この長手方向リピート長さＲL は、上述した第１実施形態か第２実施形態かを問わず、以下に示す共通した下記の式１によって表される。
【００６２】
【数１】
2018003417.tif 000003
【００６３】
ここで、上記式１中のｃ、ｄについて述べる。
まず、ｃは、隣接する単位ユニット３同士のうち、一方の単位ユニット３を、当該単位リピート配置部４内における所定のプレート部材２（例えば、上述したプレート部材２Ａ）の長手方向Ｌ’に沿ってずらした際にできる隙間（又は別の部材）Ｍの長手方向長さＭL を、長手方向長さＬと短手方向長さＳとの比ａ：ｂ：ｃ（長手方向長さＬ：短手方向長さＳ：隙間Ｍの長手方向長さＭL ＝ａ：ｂ：ｃ）における比の値ｃである（図１、４〜２４中の符号ｃ参照）。尚、単位ユニット３を所定のプレート部材２の長手方向Ｌ’に沿ってずらした際にできる隙間（又は別の部材）Ｍは、長手方向長さがＭL だが、短手方向長さはプレート部材２自体の長手方向長さＬとなる。
【００６４】
一方、ｄは、隣接する単位ユニット３同士のうち、一方の単位ユニット３を、当該単位リピート配置部４内における所定のプレート部材２（例えば、上述したプレート部材２Ａ）の短手方向Ｓ’に沿ってずらした際にできる隙間（又は別の部材）Ｍの短手方向長さＭS を、長手方向長さＬと短手方向長さＳとの比ａ：ｂ：ｄ（長手方向長さＬ：短手方向長さＳ：隙間Ｍの短手方向長さＭS ＝ａ：ｂ：ｄ）における比の値ｄである（図１、４〜２４中の符号ｄ参照）。尚、単位ユニット３を所定のプレート部材２の短手方向Ｓ’に沿ってずらした際にできる隙間（又は別の部材）Ｍは、短手方向長さがＭS だが、長手方向長さはプレート部材２の長手方向長さＬから短手方向長さを引いた長さ（Ｌ−Ｓ）となる。
つまり、長手方向長さＬ：短手方向長さＳ：隙間Ｍの長手方向長さＭL ：隙間Ｍの短手方向長さＭS ＝ａ：ｂ：ｃ：ｄとなり、ｃとｄの値は、ａ、ｂが互いに素の正の整数となるのであれば正の整数でなくとも良く、更に、ｃ＞０且つｄ＝０であるか、ｃ＝０且つｄ＞０であるか、又は、ｃ＝０且つｄ＝０の何れかを満たす。
尚、ここまで述べたａ、ｂ、ｃ、ｄの値によっては、式１は、ＲL ＝ｍ×｛Ｌ×ｘ＋Ｓ×ｙ｝（但し、ｍは正の整数、ｘ、ｙは正、０又は負の整数）との形で表される場合があり、この場合の長手方向リピート長さＲL は、ｍで割ったＬ×ｘ＋Ｓ×ｙ（ＲL ＝Ｌ×ｘ＋Ｓ×ｙ）となる。又、ｃとｄの値について、上述した３つの場合以外に、ｃ＞０且つｄ＞０であっても良いが、単位ユニット３同士が繰り返し隣接できる配置のみを指すことになる。
【００６５】
このように、長手方向リピート長さＲL はａ、ｂ、ｃ、ｄの値によって決まるが、ａとｂを互いに素の正の整数とし且つａをｂより大きくし（ａ＞ｂ）、ｃ＝０且つｄ＝０とすることで、長手方向リピート長さＲL は、ＲL ＝Ｌ（ｂ＋０）＋Ｓ（ａ＋０−０）より、（長手方向長さＬとｂの積）と（短手方向長さＳとａの積）の和（ＲL ＝Ｌ×ｂ＋Ｓ×ａ）となる。
ここで、長手方向長さＬ：短手方向長さＳ＝ａ：ｂよりＬ×ｂ＝Ｓ×ａであることから、長手方向リピート長さＲL は、ＲL ＝Ｌ×ｂ＋Ｓ×ａ＝Ｓ×ａ＋Ｓ×ａ（＝２×Ｓ×ａ＝２×ａ×Ｓ）や、ＲL ＝Ｌ×ｂ＋Ｓ×ａ＝Ｌ×ｂ＋Ｌ×ｂ（＝２×Ｌ×ｂ＝２×ｂ×Ｌ）であるとも言える。
以下、主にＲL ＝２×ａ×Ｓとして述べる。
【００６６】
このように、ＲL ＝２×ａ×Ｓとすれば、後述する実施例１−１〜１−１１のように、１種類のプレート部材２を製造するだけで、長手方向Ｌ’に関して、様々な配置パターンを出現させることが出来、単位リピート配置部４において長手方向リピート長さＲL が、長手方向長さＬと短手方向長さＳの比ａ：ｂによって容易に調整でき、プレート部材２における長手方向長さＬと短手方向長さＳの差が小さくとも（すなわち、プレート部材２が過度に長細くならずとも）、十分な長手方向リピート長さＲL を持った単位リピート配置部４を形成でき、単調な繰り返しとならず、意匠性に富んだリピート配置システム１となる。
これと同時に、ＲL ＝２×ａ×Ｓとすることで、単位リピート配置部４（つまり、リピート配置システム１）は、単位ユニット３（プレート部材２）を隙間（又は、別の部材）Ｍなく敷き詰めて配置した第１実施形態となり、プレート部材２を連結させる手段などが不要で、複雑化することもなく、施工する配置パターン応じた別部材が必須とはならないため、製造効率が上昇する。
よって、「意匠性の向上」、「部材の簡素化」、「製造効率の上昇」を同時に実現できる。
尚、リピート配置システム１の上記の特徴を換言すれば、単位リピート配置部４の長手方向リピート長さＲL が短手方向長さＳの（２×ａ）倍（２×ａ×短手方向長さＳ）となるように、プレート部材２を２枚１組として隣接させて単位ユニット３を形成し、単位ユニット３を複数隣接させて単位リピート配置部４を形成しているとも言える。
【００６７】
長手方向リピート長さＲL の具体的長さは、例えば、長手方向長さ（長辺長さ）Ｌが４５７．２ｍｍで、短手方向長さ（短辺長さ）Ｓが３０４．８ｍｍ（Ｌ＝４５７．２ｍｍ、Ｓ＝３０４．８ｍｍ）で、ｃ＝０且つｄ＝０とすれば、長手方向長さＬ：短手方向長さＳ：隙間Ｍの長手方向長さＭL ：隙間Ｍの短手方向長さＭS ＝ａ：ｂ：ｃ：ｄ＝３：２：０：０となり、この場合は、ＲL ＝２×ａ×Ｓより、長手方向リピート長さＲL は、短辺長さＳ３０４．８ｍｍの（２×３）倍より（２×３×３０４．８ｍｍ＝）１８２８．８ｍｍとなる。
つまり、４５７．２ｍｍ×３０４．８ｍｍの矩形状のプレート部材２とすることで、単位リピート配置部４における長手方向リピート長さＲL が、２ｍ近くにもなることが分かる。
【００６８】
又、ａとｂを互いに素の正の整数とし且つａをｂより大きくし（ａ＞ｂ）、ｃ≧０且つｄ＝０、又は、ｃ＝０且つｄ≧０とすることで、長手方向リピート長さＲL を、短手方向長さＳの（２×ａ）倍以上（ＲL ≧２×ａ×Ｓ）とすることが出来、更に十分な長手方向リピート長さＲL を持った単位リピート配置部４を形成することも出来、単調な繰り返しとならず、より意匠性に富んだリピート配置システム１となる。
尚、特に、ＲL ＞２×ａ×Ｓとした場合には、単位リピート配置部４（つまり、リピート配置システム１）は、各単位ユニット３（プレート部材２）間に隙間（又は別の部材）Ｍを有しながら敷き詰めて配置したリピート配置システム１の第２実施形態となり、隙間Ｍのまま各単位ユニット３（プレート部材２）を配置することも可能であり、たとえ隙間Ｍを埋める別部材を用いたとしても、隙間Ｍの形状の応じた１種類の別部材があれば十分であることから、過度に複雑化することもないため、製造効率が上昇するとも言える。
【００６９】
＜短手方向リピート長さＲS ＞
図１、４〜２４に示したように、短手方向リピート長さＲS は、単位リピート配置部４内における所定のプレート部材２（例えば、上述したプレート部材２Ａ）が、当該単位リピート配置部４において所定のプレート部材２の短手方向Ｓ’に沿った同一位置に再び出現するまでの長さである。
この短手方向リピート長さＲS も、上述した第１実施形態か第２実施形態かを問わず、以下に示す共通した下記の式２によって表される。
【００７０】
【数２】
2018003417.tif 000004
【００７１】
ここで、上記式２中のｃ、ｄは、式１で述べたｃ、ｄと同様である。
又、ここまで述べたａ、ｂ、ｃ、ｄの値によっては、式２も、ＲS ＝ｍ’×｛Ｓ×ｘ’＋Ｌ×ｙ’｝（但し、ｍ’は正の整数、ｘ’、ｙ’は正、０又は負の整数）との形で表される場合があり、この場合の短手方向リピート長さＲS も、ｍ’で割ったＳ×ｘ’＋Ｌ×ｙ’（ＲS ＝Ｓ×ｘ’＋Ｌ×ｙ’）となる。
【００７２】
このように、短手方向リピート長さＲS もａ、ｂ、ｃ、ｄの値によって決まるが、ａとｂを互いに素の正の整数とし且つａをｂより大きくし（ａ＞ｂ）、ｃ＝０且つｄ＝０とすることで、短手方向リピート長さＲS は、ＲS ＝Ｓ（ａ＋０−０）＋Ｌ（ｂ＋０）より、（短手方向長さＳとａの積）と（長手方向長さＬとｂの積）の和（ＲS ＝Ｓ×ａ＋Ｌ×ｂ）となる。
ここで、長手方向長さＬ：短手方向長さＳ＝ａ：ｂよりＬ×ｂ＝Ｓ×ａであることから、短手方向リピート長さＲS もＲS ＝Ｓ×ａ＋Ｌ×ｂ＝２×ａ×Ｓ＝２×ｂ×Ｌであるとも言える。
以下、主にＲS ＝２×ａ×Ｓとして述べる。
【００７３】
このように、ＲS ＝２×ａ×Ｓとしても、後述する実施例１−１〜１−１１のように、１種類のプレート部材２を製造するだけで、短手方向Ｓ’に関しても、意匠性に富んだリピート配置システム１となる。
又、ＲS ＝２×ａ×Ｓとすることでも、単位リピート配置部４（つまり、リピート配置システム１）は、単位ユニット３（プレート部材２）を隙間（又は、別の部材）Ｍなく敷き詰めて配置した第１実施形態となると言え、部材の複雑化が抑えられ、製造効率が上昇する。
よって、「意匠性の向上」、「部材の簡素化」、「製造効率の上昇」を同時に実現できる。
尚、単位リピート配置部４の短手方向リピート長さＲS が短手方向長さＳの（２×ａ）倍（２×ａ×短手方向長さＳ）となるように、プレート部材２を２枚１組として隣接させて単位ユニット３を形成し、単位ユニット３を複数隣接させて単位リピート配置部４を形成しているとも言える。
【００７４】
短手方向リピート長さＲS の具体的長さも、例えば、Ｌ＝４５７．２ｍｍ、Ｓ＝３０４．８ｍｍで、ｃ＝０且つｄ＝０とすれば、長手方向長さＬ：短手方向長さＳ：隙間Ｍの長手方向長さＭL ：隙間Ｍの短手方向長さＭS ＝ａ：ｂ：ｃ：ｄ＝３：２：０：０となり、この場合は、ＲS ＝２×ａ×Ｓより、短手方向リピート長さＲS も、２×３×３０４．８ｍｍ＝１８２８．８ｍｍとなる。
つまり、４５７．２ｍｍ×３０４．８ｍｍの矩形状のプレート部材２とすることで、単位リピート配置部４における短手方向リピート長さＲS も、２ｍ近くにもなることが分かる。
【００７５】
又、ａとｂを互いに素の正の整数とし且つａをｂより大きくし（ａ＞ｂ）、ｃ≧０且つｄ＝０、又は、ｃ＝０且つｄ≧０とすることで、短手方向リピート長さＲS も、短手方向長さＳの（２×ａ）倍以上（ＲS ≧２×ａ×Ｓ）とすることが出来、意匠性に富んだリピート配置システム１となる。
尚、特に、ＲS ＞２×ａ×Ｓとした場合には、単位リピート配置部４（つまり、リピート配置システム１）は、各単位ユニット３（プレート部材２）間に隙間（又は別の部材）Ｍを有しながら敷き詰めて配置したリピート配置システム１の第２実施形態となり、たとえ隙間Ｍを埋める別部材を用いたとしても、隙間Ｍの形状の応じた１種類の別部材があれば十分であることから、過度に複雑化することもないため、製造効率が上昇するとも言える。
【００７６】
＜実施例１−１（ａ：ｂ＝３：２（＝１．５：１．０））＞
図１〜３に示したように、実施例１−１のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝３：２：０：０（＝１．５：１．０：０．０：０．０）である。
つまり、実施例１−１は、ｃ＝０且つｄ＝０より、単位ユニット３（プレート部材２）を隙間（又は、別の部材）Ｍなく敷き詰めて配置した第１実施形態のリピート配置システム１であって、その単位ユニット３は、Ｌ字型の単位ユニット３Ａ（又は、段違い型の単位ユニット３Ｅ）であると言える。
【００７７】
上述したようなａ、ｂ、ｃ、ｄの値で、プレート部材２（単位ユニット３）を実際に配置してみると、実施例１−１の単位リピート配置部４の長手方向リピート長さＲL は、６×Ｓ（短手方向長さ（短辺長さ）Ｓの６倍）となっており、これは、上記式１にａ＝３、ｂ＝２、ｃ＝０、ｄ＝０を代入して計算されるＲL ＝２×３×Ｓ＝６×Ｓと同じ値となっている。
又、同様に、上述したａ、ｂ、ｃ、ｄの値で、プレート部材２（単位ユニット３）を実際に配置してみると、実施例１−１の単位リピート配置部４の短手方向リピート長さＲS も、６×Ｓ（短手方向長さ（短辺長さ）Ｓの６倍）となっており、これは、上記式２にａ＝３、ｂ＝２、ｃ＝０、ｄ＝０を代入して計算されるＲS ＝２×３×Ｓ＝６×Ｓと同じ値となっている。
【００７８】
よって、プレート部材２の平面視形状を、長辺長さＬが短辺長さＳの１．５倍の略矩形状とするだけで、単位リピート配置部４を、短辺長さＳの６倍もの一辺を持つ正方形状（長手方向リピート長さＲL ＝短手方向リピート長さＲS ＝６×Ｓ）とすることが出来る。
又、実施例１−１におけるプレート部材２は、ａがｂの正の整数倍ではない（ａ≠ｎ×ｂ、ｎは正の整数）とも言える。
【００７９】
＜実施例１−２（ａ：ｂ＝７：５（＝１．４：１．０））＞
図４に示したように、実施例１−２のリピート配置システム１は、プレート部材２の平面視形状が略矩形状であって、ａ：ｂ：ｃ：ｄ＝７：５：０：０（＝１．４：１．０：０．０：０．０）である。
つまり、実施例１−２も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【００８０】
上述したａ、ｂ、ｃ、ｄの値で、プレート部材２（単位ユニット３）を実際に配置してみると、実施例１−２の長手方向リピート長さＲL は、１４×Ｓ（短手方向長さＳの１４倍）となっており、これは、上記式１にａ＝７、ｂ＝５、ｃ＝０、ｄ＝０を代入して計算されるＲL ＝２×７×Ｓ＝１４×Ｓと同じ値となっている。
又、同様に、上述したａ、ｂ、ｃ、ｄの値で、プレート部材２（単位ユニット３）を実際に配置してみると、実施例１−２の短手方向リピート長さＲS も、１４×Ｓ（短手方向長さＳの１４倍）となっており、これは、上記式２にａ＝７、ｂ＝５、ｃ＝０、ｄ＝０を代入して計算されるＲS ＝２×７×Ｓ＝１４×Ｓと同じ値となっている。
【００８１】
よって、プレート部材２の平面視形状を、長辺長さＬが短辺長さＳの１．４倍の略矩形状とする（つまり、実施例１−１より長辺長さＬの比率を少し短くする）だけで、単位リピート配置部４を、短辺長さＳの１４倍もの一辺を持つ正方形状（ＲL ＝ＲS ＝１４×Ｓ）とすることが出来る。
又、実施例１−２におけるプレート部材２も、ａがｂの正の整数倍ではない（ａ≠ｎ×ｂ、ｎは正の整数）とも言える。
【００８２】
＜実施例１−３（ａ：ｂ＝６：５（＝１．２：１．０））＞
図５に示したように、実施例１−３のリピート配置システム１は、プレート部材２の平面視形状が略矩形状であって、ａ：ｂ：ｃ：ｄ＝６：５：０：０（＝１．２：１．０：０．０：０．０）である。
つまり、実施例１−３も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【００８３】
上述したａ、ｂ、ｃ、ｄの値で、プレート部材２（単位ユニット３）を実際に配置してみると、実施例１−３の長手方向リピート長さＲL は、１２×Ｓ（短手方向長さＳの１２倍）となっており、これは、上記式１にａ＝６、ｂ＝５、ｃ＝０、ｄ＝０を代入して計算されるＲL ＝２×６×Ｓ＝１２×Ｓと同じ値となっている。
又、同様に、上述したａ、ｂ、ｃ、ｄの値で、プレート部材２（単位ユニット３）を実際に配置してみると、実施例１−３の短手方向リピート長さＲS も、１２×Ｓ（短手方向長さＳの１２倍）となっており、これは、上記式２にａ＝６、ｂ＝５、ｃ＝０、ｄ＝０を代入して計算されるＲS ＝２×６×Ｓ＝１２×Ｓと同じ値となっている。
【００８４】
よって、プレート部材２の平面視形状を、長辺長さＬが短辺長さＳの１．２倍の略矩形状とする（つまり、実施例１−１より長辺長さＬの比率を更に短くする）と、単位リピート配置部４を、短辺長さＳの１２倍もの一辺を持つ正方形状（ＲL ＝ＲS ＝１２×Ｓ）とすることが出来る。
又、実施例１−３におけるプレート部材２も、ａがｂの正の整数倍ではない（ａ≠ｎ×ｂ、ｎは正の整数）とも言える。
【００８５】
＜実施例１−４（ａ：ｂ＝８：５（＝１．６：１．０））＞
図６に示したように、実施例１−４のリピート配置システム１は、プレート部材２の平面視形状が略矩形状であって、ａ：ｂ：ｃ：ｄ＝８：５：０：０（＝１．６：１．０：０．０：０．０）である。
つまり、実施例１−４も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【００８６】
上述したａ、ｂ、ｃ、ｄの値で、プレート部材２（単位ユニット３）を実際に配置してみると、実施例１−４の長手方向リピート長さＲL は、１６×Ｓ（短手方向長さＳの１６倍）となっており、これは、上記式１にａ＝８、ｂ＝５、ｃ＝０、ｄ＝０を代入して計算されるＲL ＝２×８×Ｓ＝１６×Ｓと同じ値となっている。
又、同様に、上述したａ、ｂ、ｃ、ｄの値で、プレート部材２（単位ユニット３）を実際に配置してみると、実施例１−４の短手方向リピート長さＲS も、１６×Ｓ（短手方向長さＳの１６倍）となっており、これは、上記式２にａ＝８、ｂ＝５、ｃ＝０、ｄ＝０を代入して計算されるＲS ＝２×８×Ｓ＝１６×Ｓと同じ値となっている。
【００８７】
よって、プレート部材２の平面視形状を、長辺長さＬが短辺長さＳの１．６倍の略矩形状とする（つまり、実施例１−１より長辺長さＬの比率を少し長くする）だけで、単位リピート配置部４を、短辺長さＳの１６倍もの一辺を持つ正方形状（ＲL ＝ＲS ＝１６×Ｓ）とすることが出来る。
又、実施例１−４におけるプレート部材２も、ａがｂの正の整数倍ではない（ａ≠ｎ×ｂ、ｎは正の整数）とも言える。
【００８８】
＜実施例１−５（ａ：ｂ＝９：５（＝１．８：１．０））＞
図７に示したように、実施例１−５のリピート配置システム１は、プレート部材２の平面視形状が略矩形状であって、ａ：ｂ：ｃ：ｄ＝９：５：０：０（＝１．８：１．０：０．０：０．０）である。
つまり、実施例１−５も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【００８９】
上述したａ、ｂ、ｃ、ｄの値で、プレート部材２（単位ユニット３）を実際に配置してみると、実施例１−５の長手方向リピート長さＲL は、１８×Ｓ（短手方向長さＳの１８倍）となっており、これは、上記式１にａ＝９、ｂ＝５、ｃ＝０、ｄ＝０を代入して計算されるＲL ＝２×９×Ｓ＝１８×Ｓと同じ値となっている。
又、同様に、上述したａ、ｂ、ｃ、ｄの値で、プレート部材２（単位ユニット３）を実際に配置してみると、実施例１−５の短手方向リピート長さＲS も、１８×Ｓ（短手方向長さＳの１８倍）となっており、これは、上記式２にａ＝９、ｂ＝５、ｃ＝０、ｄ＝０を代入して計算されるＲS ＝２×９×Ｓ＝１８×Ｓと同じ値となっている。
【００９０】
よって、プレート部材２の平面視形状を、長辺長さＬが短辺長さＳの１．８倍の略矩形状とする（つまり、実施例１−１より長辺長さＬの比率を更に長くする）と、単位リピート配置部４を、短辺長さＳの１８倍もの一辺を持つ正方形状（ＲL ＝ＲS ＝１８×Ｓ）とすることが出来る。
又、実施例１−５におけるプレート部材２も、ａがｂの正の整数倍ではない（ａ≠ｎ×ｂ、ｎは正の整数）とも言える。
【００９１】
＜実施例１−６（ａ：ｂ＝２：１（＝２．０：１．０））＞
図８に示したように、実施例１−６のリピート配置システム１は、プレート部材２の平面視形状が略矩形状であって、ａ：ｂ：ｃ：ｄ＝２：１：０：０（＝２．０：１．０：０．０：０．０）である。
つまり、実施例１−６も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【００９２】
上述したａ、ｂ、ｃ、ｄの値で、プレート部材２（単位ユニット３）を実際に配置してみると、実施例１−６の長手方向リピート長さＲL は、４×Ｓ（短手方向長さＳの４倍）となっており、これは、上記式１にａ＝２、ｂ＝１、ｃ＝０、ｄ＝０を代入して計算されるＲL ＝２×２×Ｓ＝４×Ｓと同じ値となっている。
又、同様に、上述したａ、ｂ、ｃ、ｄの値で、プレート部材２（単位ユニット３）を実際に配置してみると、実施例１−６の短手方向リピート長さＲS も、４×Ｓ（短手方向長さＳの４倍）となっており、これは、上記式２にａ＝２、ｂ＝１、ｃ＝０、ｄ＝０を代入して計算されるＲS ＝２×２×Ｓ＝４×Ｓと同じ値となっている。
よって、プレート部材２の平面視形状を、長辺長さＬが短辺長さＳの２．０倍の略矩形状とする（つまり、ａをｂの正の整数倍（２倍）とする）と、単位リピート配置部４を、短辺長さＳの４倍の一辺を持つ正方形状（ＲL ＝ＲS ＝４×Ｓ）となる。
【００９３】
＜実施例１−７（ａ：ｂ＝１１：５（＝２．２：１．０））＞
図９に示したように、実施例１−７のリピート配置システム１は、プレート部材２の平面視形状が略矩形状であって、ａ：ｂ：ｃ：ｄ＝１１：５：０：０（＝２．２：１．０：０．０：０．０）である。
つまり、実施例１−７も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【００９４】
上述したａ、ｂ、ｃ、ｄの値で、プレート部材２（単位ユニット３）を実際に配置してみると、実施例１−７の長手方向リピート長さＲL は、２２×Ｓ（短手方向長さＳの２２倍）となっており、これは、上記式１にａ＝１１、ｂ＝５、ｃ＝０、ｄ＝０を代入して計算されるＲL ＝２×１１×Ｓ＝２２×Ｓと同じ値となっている。
又、同様に、上述したａ、ｂ、ｃ、ｄの値で、プレート部材２（単位ユニット３）を実際に配置してみると、実施例１−７の短手方向リピート長さＲS も、２２×Ｓ（短手方向長さＳの２４倍）となっており、これは、上記式２にａ＝１１、ｂ＝５、ｃ＝０、ｄ＝０を代入して計算されるＲS ＝２×１１×Ｓ＝２２×Ｓと同じ値となっている。
【００９５】
よって、プレート部材２の平面視形状を、長辺長さＬが短辺長さＳの２．２倍の略矩形状とする（つまり、実施例１−６より長辺長さＬの比率を少し長くする）だけで、単位リピート配置部４を、短辺長さＳの２２倍もの一辺を持つ正方形状（ＲL ＝ＲS ＝２２×Ｓ）とすることが出来る。
又、実施例１−７におけるプレート部材２も、ａがｂの正の整数倍ではない（ａ≠ｎ×ｂ、ｎは正の整数）とも言える。
【００９６】
＜実施例１−８（ａ：ｂ＝１２：５（＝２．４：１．０））＞
図１０に示したように、実施例１−８のリピート配置システム１は、プレート部材２の平面視形状が略矩形状であって、ａ：ｂ：ｃ：ｄ＝１２：５：０：０（＝２．４：１．０：０．０：０．０）である。
つまり、実施例１−８も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【００９７】
上述したａ、ｂ、ｃ、ｄの値で、プレート部材２（単位ユニット３）を実際に配置してみると、実施例１−８の長手方向リピート長さＲL は、２４×Ｓ（短手方向長さＳの２４倍）となっており、これは、上記式１にａ＝１２、ｂ＝５、ｃ＝０、ｄ＝０を代入して計算されるＲL ＝２×１２×Ｓ＝２４×Ｓと同じ値となっている。
又、同様に、上述したａ、ｂ、ｃ、ｄの値で、プレート部材２（単位ユニット３）を実際に配置してみると、実施例１−８の短手方向リピート長さＲS も、２４×Ｓ（短手方向長さＳの２４倍）となっており、これは、上記式２にａ＝１２、ｂ＝５、ｃ＝０、ｄ＝０を代入して計算されるＲS ＝２×１２×Ｓ＝２４×Ｓと同じ値となっている。
【００９８】
よって、プレート部材２の平面視形状を、長辺長さＬが短辺長さＳの２．４倍の略矩形状とする（つまり、実施例１−６より長辺長さＬの比率を更に長くする）だけで、単位リピート配置部４を、短辺長さＳの２４倍もの一辺を持つ正方形状（ＲL ＝ＲS ＝２４×Ｓ）とすることが出来る。
又、実施例１−８におけるプレート部材２も、ａがｂの正の整数倍ではない（ａ≠ｎ×ｂ、ｎは正の整数）とも言える。
【００９９】
＜実施例１−９（ａ：ｂ＝３：１（＝３．０：１．０））＞
図１１に示したように、実施例１−９のリピート配置システム１は、プレート部材２の平面視形状が略矩形状であって、ａ：ｂ：ｃ：ｄ＝３：１：０：０（＝３．０：１．０：０．０：０．０）である。
つまり、実施例１−９も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【０１００】
上述したａ、ｂ、ｃ、ｄの値で、プレート部材２（単位ユニット３）を実際に配置してみると、実施例１−９の長手方向リピート長さＲL は、６×Ｓ（短手方向長さＳの６倍）となっており、これは、上記式１にａ＝３、ｂ＝１、ｃ＝０、ｄ＝０を代入して計算されるＲL ＝２×３×Ｓ＝６×Ｓと同じ値となっている。
又、同様に、上述したａ、ｂ、ｃ、ｄの値で、プレート部材２（単位ユニット３）を実際に配置してみると、実施例１−９の短手方向リピート長さＲS も、６×Ｓ（短手方向長さＳの６倍）となっており、これは、上記式２にａ＝３、ｂ＝１、ｃ＝０、ｄ＝０を代入して計算されるＲS ＝２×３×Ｓ＝６×Ｓと同じ値となっている。
よって、プレート部材２の平面視形状を、長辺長さＬが短辺長さＳの３．０倍の略矩形状とする（つまり、ａをｂの正の整数倍（３倍）とする）と、単位リピート配置部４を、短辺長さＳの６倍の一辺を持つ正方形状（ＲL ＝ＲS ＝６×Ｓ）となる。
【０１０１】
＜実施例１−１０（ａ：ｂ＝５：１（＝５．０：１．０））＞
図１２に示したように、実施例１−１０のリピート配置システム１は、プレート部材２の平面視形状が略矩形状であって、ａ：ｂ：ｃ：ｄ＝５：１：０：０（＝５．０：１．０：０．０：０．０）である。
つまり、実施例１−１０も、ｃ＝０且つｄ＝０より、単位ユニット３を隙間（又は、別の部材）Ｍなく敷き詰めて配置した第１実施形態のリピート配置システム１であって、その単位ユニット３は、Ｌ字型又は段違い型の単位ユニット３Ａ、３Ｅであると言える。
【０１０２】
上述したａ、ｂ、ｃ、ｄの値で、プレート部材２（単位ユニット３）を実際に配置してみると、実施例１−１０の長手方向リピート長さＲL は、１０×Ｓ（短手方向長さＳの１０倍）となっており、これは、上記式１にａ＝５、ｂ＝１、ｃ＝０、ｄ＝０を代入して計算されるＲL ＝２×５×Ｓ＝１０×Ｓと同じ値となっている。
又、同様に、上述したａ、ｂ、ｃ、ｄの値で、プレート部材２（単位ユニット３）を実際に配置してみると、実施例１−１０の短手方向リピート長さＲS も、１０×Ｓ（短手方向長さＳの１０倍）となっており、これは、上記式２にａ＝５、ｂ＝１、ｃ＝０、ｄ＝０を代入して計算されるＲS ＝２×５×Ｓ＝１０×Ｓと同じ値となっている。
よって、プレート部材２の平面視形状を、長辺長さＬが短辺長さＳの５．０倍の略矩形状とする（つまり、ａをｂの正の整数倍（５倍）とする）と、単位リピート配置部４を、短辺長さＳの１０倍の一辺を持つ正方形状（ＲL ＝ＲS ＝１０×Ｓ）となる。
【０１０３】
＜実施例１−１１（ａ：ｂ＝３：２（＝１．５：１．０））＞
図１３に示したように、実施例１−１１のリピート配置システム１は、プレート部材２の平面視形状が略矩形状以外であって、長手方向長さＬ：短手方向長さＳ：隙間Ｍの長手方向長さＭL ：隙間Ｍの短手方向長さＭS ＝ａ：ｂ：ｃ：ｄ＝３：２：０：０（＝１．５：１．０：０．０：０．０）である。
つまり、実施例１−１１は、ｃ＝０且つｄ＝０より、単位ユニット３（プレート部材２）を隙間（又は、別の部材）Ｍなく敷き詰めて配置した第１実施形態のリピート配置システム１であって、たとえプレート部材２の平面視形状が略矩形状でなくとも、単位ユニット３は、Ｌ字型の単位ユニット３Ａ（又は、段違い型の単位ユニット３Ｅ）であると言える。
【０１０４】
上述したａ、ｂ、ｃ、ｄの値で、プレート部材２（単位ユニット３）を実際に配置してみると、実施例１−１１の長手方向リピート長さＲL は、実施例１−１と同様に、６×Ｓ（短手方向長さＳの６倍）となっており、これは、上記式１にａ＝３、ｂ＝２、ｃ＝０、ｄ＝０を代入して計算されるＲL ＝２×３×Ｓ＝６×Ｓと同じ値となっている。
又、同様に、上述したａ、ｂ、ｃ、ｄの値で、プレート部材２（単位ユニット３）を実際に配置してみると、実施例１−１１の短手方向リピート長さＲS も、実施例１−１と同様に、６×Ｓ（短手方向長さＳの６倍）となっており、これは、上記式２にａ＝３、ｂ＝２、ｃ＝０、ｄ＝０を代入して計算されるＲS ＝２×３×Ｓ＝６×Ｓと同じ値となっている。
【０１０５】
つまり、実施例１−１１は、プレート部材２の平面視形状に関わらず、長手方向長さＬ：短手方向長さＳ＝ａ：ｂの値が、実施例１−１と３：２で同一であれば、そのリピート長さＲL 、ＲS も実施例１−１と同一となる。
又、実施例１−１１におけるプレート部材２は、ａがｂの正の整数倍ではない（ａ≠ｎ×ｂ、ｎは正の整数）とも言える。
【０１０６】
＜実施例１−１〜１−１１のまとめ＞
ここまで述べた実施例１−１〜１−１１の長手方向リピート長さＲL 、短手方向リピート長さＲS を、以下の表１にまとめる。
尚、表１における掲載順は、実施例の番号順ではなく、長手方向長さ（長辺長さ）Ｌが、短手方向長さ（短辺長さ）Ｓの比率（倍率）を小さい順に掲載している。
【０１０７】
【表１】
2018003417.tif 000005
【０１０８】
表１で示されたように、各実施例１−１〜１−１１における互いに素の正の整数ａ、ｂとｃ＝０、ｄ＝０の値で、プレート部材２（単位ユニット３）を実際に配置してみると、何れの実施例であっても、必ず単位リピート配置部４は、短辺長さＳの（２×ａ）倍の一辺を持つ正方形状（ＲL ＝ＲS ＝２×ａ×Ｓ）となっている。
よって、ここに挙げた実施例１−１〜１−１１以外の互いに素の正の整数ａ、ｂと、ｃ＝０、ｄ＝０の値を式１、２に代入することで、単位リピート配置部４の長手方向リピート長さＲL 、短手方向リピート長さＲS を導出できると言える。
【０１０９】
又、各実施例１−１〜１−５、１−７、１−８及び１−１１は、実施例１−６と比率（長手方向長さＬの短手方向長さＳに対する比率）が近いにも関わらず、長手方向リピート長さＲL 及び短手方向リピート長さＲS が、実施例１−６より大きい。
特に、実施例１−５や１−７は、ａがｂの２倍の実施例１−６から比率を０．２だけずらしたにも関わらず、その長手方向リピート長さＲL 及び短手方向リピート長さＲS は、約５倍まで延びている。
更に、これら実施例１−５や１−７は、ａがｂの３倍や５倍で長細い実施例１−９、１−１０と比較しても、その長手方向リピート長さＲL 及び短手方向リピート長さＲS は、約２倍となっている。
よって、ａがｂの正の整数倍ではないプレート部材２を用いた方が、長手方向長さＬと短手方向長さＳの差が小さくとも、単位リピート配置部４が単調な繰り返しとならず、意匠性に富んだリピート配置システム１となると言える。
【０１１０】
＜実施例２−１（ａ：ｂ＝９：５（＝１．８：１．０）、ｃ＝１＞
図１４に示したように、実施例２−１のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝９：５：１：０（＝１．８：１．０：０．２：０．０）である。
つまり、実施例２−１は、ｃ＞０且つｄ＝０より、各単位ユニット３（プレート部材２）間に隙間（又は別の部材）Ｍを有しながら敷き詰めて配置した第２実施形態のリピート配置システム１であって、その単位ユニット３は、Ｌ字型の単位ユニット３Ａ（又は段違いの単位ユニット３Ｅ）であると言える。
【０１１１】
上述したａ、ｂ、ｃ、ｄの値で、プレート部材２（単位ユニット３）を実際に配置してみると、実施例２−１の長手方向リピート長さＲL は、１９．８×Ｓ（短手方向長さＳの１９．８倍）となっており、これは、上記式１にａ＝９、ｂ＝５、ｃ＝１、ｄ＝０を代入して計算されるＲL ＝Ｌ×（５＋０）＋Ｓ×｛９＋（９／５）−０｝＝Ｌ×５＋Ｓ×９＋Ｓ×（９／５）に、長手方向長さＬ：短手方向長さＳ＝ａ：ｂよりＬ×ｂ＝Ｓ×ａであることから、ＲL ＝２×９×Ｓ＋（９／５）×Ｓ＝｛１８＋（９／５）｝×Ｓ＝１９．８×Ｓと同じ値となっている。
【０１１２】
又、同様に、上述したａ、ｂ、ｃ、ｄの値で、プレート部材２（単位ユニット３）を実際に配置してみると、実施例２−１の短手方向リピート長さＲS は、６．６×Ｓ（短手方向長さＳの６．６倍）となっている。
一方、上記式２にａ＝９、ｂ＝５、ｃ＝１、ｄ＝０を代入して計算されるＲS ＝Ｓ×（９＋０−０）＋Ｌ×｛５＋１｝＝Ｓ×９＋Ｌ×６＝３×（Ｓ×３＋Ｌ×２）となる。
このＲS ＝３×（Ｓ×３＋Ｌ×２）は、上述したＲS ＝ｍ’×｛Ｓ×ｘ’＋Ｌ×ｙ’｝において、ｍ’＝３で、ｘ’＝３、ｙ’＝２の場合であり、短手方向リピート長さＲS は、３で割ったＲS ＝Ｓ×３＋Ｌ×２となる。
ここで、長手方向長さＬ：短手方向長さＳ＝ａ：ｂよりＬ＝Ｓ×（ａ／ｂ）＝Ｓ×（９／５）であることから、ＲS ＝Ｓ×３＋Ｓ×（９／５）×２＝｛３＋（９／５）×２｝×Ｓ＝｛３＋（１８／５）｝×Ｓ＝（３３／５）×Ｓ＝６．６×Ｓとなり、実際に配置した時の実施例２−１の短手方向リピート長さＲS ６．６×Ｓと同じ値となっている。
【０１１３】
つまり、実施例２−１は、長手方向リピート長さＲL の１９．８×Ｓが、短手方向リピート長さＲS ６．６×Ｓの３倍となっており、単位リピート配置部４は、所定のプレート部材の短手方向Ｓ’に比べて長手方向Ｌ’が３倍長い矩形状（言わば、横長の矩形状）となっている。
尚、この「３」倍の値は、上記の式２で短手方向リピート長さＲS を計算した際に最後に割ったｍ’＝「３」の値と同じである。
【０１１４】
＜実施例２−２（ａ：ｂ＝９：５（＝１．８：１．０）、ｃ＝２＞
図１５に示したように、実施例２−２のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝９：５：２：０（＝１．８：１．０：０．４：０．０）である。
つまり、実施例２−２も、ｃ＞０且つｄ＝０より、各単位ユニット３（プレート部材２）間に隙間（又は別の部材）Ｍを有しながら敷き詰めて配置した第２実施形態のリピート配置システム１であって、その単位ユニット３は、Ｌ字型又は段違いの単位ユニット３Ａ、３Ｅであると言える。
【０１１５】
上述したａ、ｂ、ｃ、ｄの値で、プレート部材２（単位ユニット３）を実際に配置してみると、実施例２−２の長手方向リピート長さＲL は、２１．６×Ｓとなっており、これは、上記式１にａ＝９、ｂ＝５、ｃ＝２、ｄ＝０を代入して計算されるＲL ＝Ｌ×（５＋０）＋Ｓ×｛９＋（１８／５）−０｝＝Ｌ×５＋Ｓ×９＋Ｓ×（１８／５）に、長手方向長さＬ：短手方向長さＳ＝ａ：ｂよりＬ×ｂ＝Ｓ×ａであることから、ＲL ＝２×９×Ｓ＋（１８／５）×Ｓ＝｛１８＋（１８／５）｝×Ｓ＝２１．６×Ｓと同じ値となっている。
【０１１６】
又、同様に、上述したａ、ｂ、ｃ、ｄの値で、プレート部材２（単位ユニット３）を実際に配置してみると、実施例２−２の短手方向リピート長さＲS も、２１．６×Ｓとなっている。
一方、上記式２にａ＝９、ｂ＝５、ｃ＝２、ｄ＝０を代入して計算されるＲS ＝Ｓ×（９＋０−０）＋Ｌ×｛５＋２｝＝Ｓ×９＋Ｌ×７に、長手方向長さＬ：短手方向長さＳ＝ａ：ｂよりＬ＝Ｓ×（ａ／ｂ）であることから、ＲL ＝Ｓ×９＋Ｓ×（９／５）×７＝｛９＋（６３／５）｝×Ｓ＝２１．６×Ｓとなり、実際に配置した時の実施例２−２の短手方向リピート長さＲS ２１．６×Ｓと同じ値となっている。
つまり、実施例２−２は、単位リピート配置部４が、短辺長さＳの２１．６倍もの一辺を持つ正方形状（ＲL ＝ＲS ＝２１．６×Ｓ）である。
【０１１７】
＜実施例２−３（ａ：ｂ＝９：５（＝１．８：１．０）、ｃ＝３＞
図１６に示したように、実施例２−３のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝９：５：３：０（＝１．８：１．０：０．６：０．０）である。
つまり、実施例２−３も、ｃ＞０且つｄ＝０より、各単位ユニット３（プレート部材２）間に隙間（又は別の部材）Ｍを有しながら敷き詰めて配置した第２実施形態のリピート配置システム１であって、その単位ユニット３は、Ｌ字型又は段違いの単位ユニット３Ａ、３Ｅであると言える。
【０１１８】
上述したａ、ｂ、ｃ、ｄの値で、プレート部材２（単位ユニット３）を実際に配置してみると、実施例２−３の長手方向リピート長さＲL は、２３．４×Ｓとなっており、これは、上記式１にａ＝９、ｂ＝５、ｃ＝３、ｄ＝０を代入して計算されるＲL ＝Ｌ×（５＋０）＋Ｓ×｛９＋（２７／５）−０｝＝Ｌ×５＋Ｓ×９＋Ｓ×（２７／５）に、長手方向長さＬ：短手方向長さＳ＝ａ：ｂよりＬ×ｂ＝Ｓ×ａであることから、ＲL ＝２×９×Ｓ＋（２７／５）×Ｓ＝｛１８＋（２７／５）｝×Ｓ＝２３．４×Ｓと同じ値となっている。
【０１１９】
又、同様に、上述したａ、ｂ、ｃ、ｄの値で、プレート部材２（単位ユニット３）を実際に配置してみると、実施例２−３の短手方向リピート長さＲS も、２３．４×Ｓとなっている。
一方、上記式２にａ＝９、ｂ＝５、ｃ＝３、ｄ＝０を代入して計算されるＲS ＝Ｓ×（９＋０−０）＋Ｌ×｛５＋３｝＝Ｓ×９＋Ｌ×８に、長手方向長さＬ：短手方向長さＳ＝ａ：ｂよりＬ＝Ｓ×（ａ／ｂ）であることから、ＲL ＝Ｓ×９＋Ｓ×（９／５）×８＝｛９＋（７２／５）｝×Ｓ＝２３．４×Ｓとなり、実際に配置した時の実施例２−３の短手方向リピート長さＲS ２３．４×Ｓと同じ値となっている。
つまり、実施例２−３も、単位リピート配置部４が、短辺長さＳの２３．４倍もの一辺を持つ正方形状（ＲL ＝ＲS ＝２３．４×Ｓ）である。
【０１２０】
＜実施例２−４（ａ：ｂ＝９：５（＝１．８：１．０）、ｃ＝４＞
図１７に示したように、実施例２−４のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝９：５：４：０（＝１．８：１．０：０．８：０．０）である。
尚、実施例２−４は、隙間Ｍの長手方向長さＭL が、長手方向長さＬから短手方向長さＳを引いた差と等しく（ｃ＝ａ−ｂ）なっている。
又、実施例２−４も、ｃ＞０且つｄ＝０より、各単位ユニット３（プレート部材２）間に隙間（又は別の部材）Ｍを有しながら敷き詰めて配置した第２実施形態のリピート配置システム１であって、その単位ユニット３は、Ｌ字型の単位ユニット３Ａであると言える。
【０１２１】
上述したａ、ｂ、ｃ、ｄの値で、プレート部材２（単位ユニット３）を実際に配置してみると、実施例２−４の長手方向リピート長さＲL は、２５．２×Ｓとなっており、これは、上記式１にａ＝９、ｂ＝５、ｃ＝４、ｄ＝０を代入して計算されるＲL ＝Ｌ×（５＋０）＋Ｓ×｛９＋（３６／５）−０｝＝Ｌ×５＋Ｓ×９＋Ｓ×（３６／５）に、長手方向長さＬ：短手方向長さＳ＝ａ：ｂよりＬ×ｂ＝Ｓ×ａであることから、ＲL ＝２×９×Ｓ＋（３６／５）×Ｓ＝｛１８＋（３６／５）｝×Ｓ＝２５．２×Ｓと同じ値となっている。
【０１２２】
又、同様に、上述したａ、ｂ、ｃ、ｄの値で、プレート部材２（単位ユニット３）を実際に配置してみると、実施例２−３の短手方向リピート長さＲS は、非常に小さく２．８×Ｓとなっている。
一方、上記式２にａ＝９、ｂ＝５、ｃ＝４、ｄ＝０を代入して計算されるＲS ＝Ｓ×（９＋０−０）＋Ｌ×｛５＋４｝＝Ｓ×９＋Ｌ×９＝９×（Ｓ×１＋Ｌ×１）となる。
このＲS ＝９×（Ｓ×１＋Ｌ×１）は、上述したＲS ＝ｍ’×｛Ｓ×ｘ’＋Ｌ×ｙ’｝において、ｍ’＝９で、ｘ’＝１、ｙ’＝１の場合であり、短手方向リピート長さＲS は、９で割ったＲS ＝Ｓ×１＋Ｌ×１となる。
ここで、長手方向長さＬ：短手方向長さＳ＝ａ：ｂよりＬ＝Ｓ×（ａ／ｂ）＝Ｓ×（９／５）であることから、ＲS ＝Ｓ×１＋Ｓ×（９／５）×１＝｛１＋（９／５）｝×Ｓ＝（１４／５）×Ｓ＝２．８×Ｓとなり、実際に配置した時の実施例２−４の短手方向リピート長さＲS ２．８×Ｓと同じ値となっている。
【０１２３】
つまり、実施例２−４は、長手方向リピート長さＲL の２５．２×Ｓが、短手方向リピート長さＲS ２．８×Ｓの９倍となっており、単位リピート配置部４は、所定のプレート部材の短手方向Ｓ’に比べて長手方向Ｌ’が９倍長い矩形状（言わば、非常に横長の矩形状）となっている。
尚、この「９」倍の値は、上記の式２で短手方向リピート長さＲS を計算した際に最後に割ったｍ’＝「９」の値と同じである。
【０１２４】
＜実施例２−５（ａ：ｂ＝９：５（＝１．８：１．０）、ｃ＝５＞
図１８に示したように、実施例２−５のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝９：５：５：０（＝１．８：１．０：１．０：０．０）である。
尚、実施例２−５は、隙間Ｍの長手方向長さＭL が、長手方向長さＬから短手方向長さＳを引いた差より大きく（ｃ＞ａ−ｂ）なっている。
又、実施例２−５も、ｃ＞０且つｄ＝０より、各単位ユニット３（プレート部材２）間に隙間（又は別の部材）Ｍを有しながら敷き詰めて配置した第２実施形態のリピート配置システム１であって、その単位ユニット３は、Ｌ字型の単位ユニット３Ａであると言える。
【０１２５】
上述したａ、ｂ、ｃ、ｄの値で、プレート部材２（単位ユニット３）を実際に配置してみると、実施例２−５の長手方向リピート長さＲL は、２７．０×Ｓとなっており、これは、上記式１にａ＝９、ｂ＝５、ｃ＝５、ｄ＝０を代入して計算されるＲL ＝Ｌ×（５＋０）＋Ｓ×｛９＋（４５／５）−０｝＝Ｌ×５＋Ｓ×９＋Ｓ×９に、長手方向長さＬ：短手方向長さＳ＝ａ：ｂよりＬ×ｂ＝Ｓ×ａであることから、ＲL ＝３×９×Ｓ＝２７．０×Ｓと同じ値となっている。
【０１２６】
又、同様に、上述したａ、ｂ、ｃ、ｄの値で、プレート部材２（単位ユニット３）を実際に配置してみると、実施例２−５の短手方向リピート長さＲS も、２７．０×Ｓとなっている。
一方、上記式２にａ＝９、ｂ＝５、ｃ＝５、ｄ＝０を代入して計算されるＲS ＝Ｓ×（９＋０−０）＋Ｌ×｛５＋５｝＝Ｓ×９＋Ｌ×１０に、長手方向長さＬ：短手方向長さＳ＝ａ：ｂよりＬ＝Ｓ×（ａ／ｂ）であることから、ＲL ＝Ｓ×９＋Ｓ×（９／５）×１０＝｛９＋（９０／５）｝×Ｓ＝２７．０×Ｓとなり、実際に配置した時の実施例２−５の短手方向リピート長さＲS ２７．０×Ｓと同じ値となっている。
つまり、実施例２−５も、単位リピート配置部４が、短辺長さＳの２７．０倍もの一辺を持つ正方形状（ＲL ＝ＲS ＝２７．０×Ｓ）である。
【０１２７】
＜実施例２−６（ａ：ｂ＝９：５（＝１．８：１．０）、ｄ＝１＞
図１９に示したように、実施例２−６のリピート配置システム１は、プレート部材２の平面視形状が略矩形状であるが、これまでの実施例２−１〜２−５とは違って、長手方向長さＬ：短手方向長さＳ：隙間Ｍの長手方向長さＭL ：隙間Ｍの短手方向長さＭS ＝ａ：ｂ：ｃ：ｄ＝９：５：０：１（＝１．８：１．０：０．０：０．２）である。
つまり、実施例２−６は、ｃ＝０且つｄ＞０より、各単位ユニット３（プレート部材２）間に隙間（又は別の部材）Ｍを有しながら敷き詰めて配置した第２実施形態のリピート配置システム１であって、その単位ユニット３は、Ｌ字型の単位ユニット３Ａ（又は、略Ｌ字型の単位ユニット３Ｂや、略Ｔ字型の単位ユニット３Ｃ、段違い型の単位ユニット３Ｅ）であると言える。
【０１２８】
上述したａ、ｂ、ｃ、ｄの値で、プレート部材２（単位ユニット３）を実際に配置してみると、実施例２−６の長手方向リピート長さＲL は、９．４×Ｓとなっており、これは、上記式１にａ＝９、ｂ＝５、ｃ＝０、ｄ＝１を代入して計算されるＲL ＝Ｌ×（５＋１）＋Ｓ×｛９＋０−１｝＝Ｌ×６＋Ｓ×８＝２×（Ｌ×３＋Ｓ×４）となる。
このＲL ＝２×（Ｌ×３＋Ｓ×４）は、上述したＲL ＝ｍ×｛Ｌ×ｘ＋Ｓ×ｙ｝において、ｍ＝２で、ｘ＝３、ｙ＝４の場合であり、長手方向リピート長さＲL は、２で割ったＲL ＝Ｌ×３＋Ｓ×４となる。
ここで、長手方向長さＬ：短手方向長さＳ＝ａ：ｂよりＬ＝Ｓ×（ａ／ｂ）＝Ｓ×（９／５）であることから、ＲL ＝Ｓ×（９／５）×３＋Ｓ×４＝｛（２７／５）＋４｝×Ｓ＝（４７／５）×Ｓ＝９．４×Ｓとなり、実際に配置した時の実施例２−６の長手方向リピート長さＲL ９．４×Ｓと同じ値となっている。
【０１２９】
又、同様に、上述したａ、ｂ、ｃ、ｄの値で、プレート部材２（単位ユニット３）を実際に配置してみると、実施例２−６の短手方向リピート長さＲS は、１８．８×Ｓとなっている。
一方、上記式２にａ＝９、ｂ＝５、ｃ＝０、ｄ＝１を代入して計算されるＲS ＝Ｓ×｛９＋（９／５）−１｝＋Ｌ×（５＋０）＝Ｓ×｛８＋（９／５）｝＋Ｌ×５に、長手方向長さＬ：短手方向長さＳ＝ａ：ｂよりＬ×ｂ＝Ｓ×ａであることから、ＲL ＝Ｓ×｛８＋（９／５）｝＋Ｓ×９＝｛１７＋（９／５）｝×Ｓ＝１８．８×Ｓとなり、実際に配置した時の実施例２−６の短手方向リピート長さＲS １８．８×Ｓと同じ値となっている。
【０１３０】
つまり、実施例２−６は、短手方向リピート長さＲS １８．８×Ｓが、長手方向リピート長さＲL ９．４×Ｓの２倍となっており、単位リピート配置部４は、所定のプレート部材の長手方向Ｌ’に比べて短手方向Ｓ’が２倍長い矩形状（言わば、縦長の矩形状）となっている。
尚、この「２」倍の値は、上記の式１で長手方向リピート長さＲL を計算した際に最後に割ったｍ＝「２」の値と同じである。
【０１３１】
＜実施例２−７（ａ：ｂ＝９：５（＝１．８：１．０）、ｄ＝２＞
図２０に示したように、実施例２−７のリピート配置システム１は、プレート部材２の平面視形状が略矩形状であり、長手方向長さＬ：短手方向長さＳ：隙間Ｍの長手方向長さＭL ：隙間Ｍの短手方向長さＭS ＝ａ：ｂ：ｃ：ｄ＝９：５：０：２（＝１．８：１．０：０．０：０．４）である。
つまり、実施例２−７は、ｃ＝０且つｄ＞０より、各単位ユニット３（プレート部材２）間に隙間（又は別の部材）Ｍを有しながら敷き詰めて配置した第２実施形態のリピート配置システム１であって、隙間Ｍの短手方向長さＭS が、（長手方向長さＬから短手方向長さＳを引いた差）の２分の１と等しく｛ｄ＝（ａ−ｂ）／２｝なっていることから、その単位ユニット３は、Ｌ字型、Ｔ字型又は段違い型の単位ユニット３Ａ、３Ｄ、３Ｅであると言える。
【０１３２】
上述したａ、ｂ、ｃ、ｄの値で、プレート部材２（単位ユニット３）を実際に配置してみると、実施例２−７の長手方向リピート長さＲL は、非常に小さく２．８×Ｓとなっている。
これは、上記式１にａ＝９、ｂ＝５、ｃ＝０、ｄ＝２を代入して計算されるＲL ＝Ｌ×（５＋２）＋Ｓ×｛９＋０−２｝＝Ｌ×７＋Ｓ×７＝７×（Ｌ×１＋Ｓ×１）となる。
このＲL ＝７×（Ｌ×１＋Ｓ×１）は、上述したＲL ＝ｍ×｛Ｌ×ｘ＋Ｓ×ｙ｝において、ｍ＝７で、ｘ＝１、ｙ＝１の場合であり、長手方向リピート長さＲL は、７で割ったＲL ＝Ｌ×１＋Ｓ×１となる。
ここで、長手方向長さＬ：短手方向長さＳ＝ａ：ｂよりＬ＝Ｓ×（ａ／ｂ）＝Ｓ×（９／５）であることから、ＲL ＝Ｓ×（９／５）×１＋Ｓ×１＝｛（９／５）＋１｝×Ｓ＝（１４／５）×Ｓ＝２．８×Ｓとなり、実際に配置した時の実施例２−７の長手方向リピート長さＲL ２．８×Ｓと同じ値となっている。
【０１３３】
又、同様に、上述したａ、ｂ、ｃ、ｄの値で、プレート部材２（単位ユニット３）を実際に配置してみると、実施例２−７の短手方向リピート長さＲS は、１９．６×Ｓとなっている。
一方、上記式２にａ＝９、ｂ＝５、ｃ＝０、ｄ＝２を代入して計算されるＲS ＝Ｓ×｛９＋（１８／５）−２｝＋Ｌ×（５＋０）＝Ｓ×｛７＋（１８／５）｝＋Ｌ×５に、長手方向長さＬ：短手方向長さＳ＝ａ：ｂよりＬ×ｂ＝Ｓ×ａであることから、ＲL ＝Ｓ×｛７＋（１８／５）｝＋Ｓ×９＝｛１６＋（１８／５）｝×Ｓ＝１９．６×Ｓとなり、実際に配置した時の実施例２−７の短手方向リピート長さＲS １９．６×Ｓと同じ値となっている。
【０１３４】
つまり、実施例２−７は、短手方向リピート長さＲS １９．６×Ｓが、長手方向リピート長さＲL ２．８×Ｓの７倍となっており、単位リピート配置部４は、所定のプレート部材の長手方向Ｌ’に比べて短手方向Ｓ’が７倍長い矩形状（言わば、非常に縦長の矩形状）となっている。
尚、この「７」倍の値は、上記の式１で長手方向リピート長さＲL を計算した際に最後に割ったｍ＝「７」の値と同じである。
【０１３５】
＜実施例２−８（ａ：ｂ＝９：５（＝１．８：１．０）、ｄ＝３＞
図２１に示したように、実施例２−８のリピート配置システム１は、プレート部材２の平面視形状が略矩形状であり、長手方向長さＬ：短手方向長さＳ：隙間Ｍの長手方向長さＭL ：隙間Ｍの短手方向長さＭS ＝ａ：ｂ：ｃ：ｄ＝９：５：０：３（＝１．８：１．０：０．０：０．６）である。
つまり、実施例２−８は、ｃ＝０且つｄ＞０より、各単位ユニット３（プレート部材２）間に隙間（又は別の部材）Ｍを有しながら敷き詰めて配置した第２実施形態のリピート配置システム１であって、その単位ユニット３は、Ｌ字型、略Ｌ字型、略Ｔ字型又は段違い型の単位ユニット３Ａ、３Ｂ、３Ｃ、３Ｅであると言える。
【０１３６】
上述したａ、ｂ、ｃ、ｄの値で、プレート部材２（単位ユニット３）を実際に配置してみると、実施例２−８の長手方向リピート長さＲL は、１０．２×Ｓとなっている。
これは、上記式１にａ＝９、ｂ＝５、ｃ＝０、ｄ＝３を代入して計算されるＲL ＝Ｌ×（５＋３）＋Ｓ×｛９＋０−３｝＝Ｌ×８＋Ｓ×６＝２×（Ｌ×４＋Ｓ×３）となる。
このＲL ＝２×（Ｌ×４＋Ｓ×３）は、上述したＲL ＝ｍ×｛Ｌ×ｘ＋Ｓ×ｙ｝において、ｍ＝２で、ｘ＝４、ｙ＝３の場合であり、長手方向リピート長さＲL は、２で割ったＲL ＝Ｌ×４＋Ｓ×３となる。
ここで、長手方向長さＬ：短手方向長さＳ＝ａ：ｂよりＬ＝Ｓ×（ａ／ｂ）＝Ｓ×（９／５）であることから、ＲL ＝Ｓ×（９／５）×４＋Ｓ×３＝｛（３６／５）＋３｝×Ｓ＝（５１／５）×Ｓ＝１０．２×Ｓとなり、実際に配置した時の実施例２−８の長手方向リピート長さＲL １０．２×Ｓと同じ値となっている。
【０１３７】
又、同様に、上述したａ、ｂ、ｃ、ｄの値で、プレート部材２（単位ユニット３）を実際に配置してみると、実施例２−８の短手方向リピート長さＲS は、２０．４×Ｓとなっている。
一方、上記式２にａ＝９、ｂ＝５、ｃ＝０、ｄ＝３を代入して計算されるＲS ＝Ｓ×｛９＋（２７／５）−３｝＋Ｌ×（５＋０）＝Ｓ×｛６＋（２７／５）｝＋Ｌ×５に、長手方向長さＬ：短手方向長さＳ＝ａ：ｂよりＬ×ｂ＝Ｓ×ａであることから、ＲL ＝Ｓ×｛６＋（２７／５）｝＋Ｓ×９＝｛１５＋（２７／５）｝×Ｓ＝２０．４×Ｓとなり、実際に配置した時の実施例２−８の短手方向リピート長さＲS ２０．４×Ｓと同じ値となっている。
【０１３８】
つまり、実施例２−８は、短手方向リピート長さＲS ２０．４×Ｓが、長手方向リピート長さＲL １０．４×Ｓの２倍となっており、単位リピート配置部４は、所定のプレート部材の長手方向Ｌ’に比べて短手方向Ｓ’が２倍長い矩形状（言わば、縦長の矩形状）となっている。
尚、この「２」倍の値は、上記の式１で長手方向リピート長さＲL を計算した際に最後に割ったｍ＝「２」の値と同じである。
【０１３９】
＜実施例２−９（ａ：ｂ＝９：５（＝１．８：１．０）、ｄ＝８＞
図２２に示したように、実施例２−９のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝９：５：０：８（＝１．８：１．０：０．０：１．６）である。
つまり、実施例２−９も、ｃ＞０且つｄ＝０より、各単位ユニット３（プレート部材２）間に隙間（又は別の部材）Ｍを有しながら敷き詰めて配置した第２実施形態のリピート配置システム１であって、その単位ユニット３は、Ｌ字型、略Ｌ字型又は段違い型の単位ユニット３Ａ、３Ｂ、３Ｅであると言える。
【０１４０】
上述したａ、ｂ、ｃ、ｄの値で、プレート部材２（単位ユニット３）を実際に配置してみると、実施例２−９の長手方向リピート長さＲL は、２４．４×Ｓとなっており、これは、上記式１にａ＝９、ｂ＝５、ｃ＝０、ｄ＝８を代入して計算されるＲL ＝Ｌ×（５＋８）＋Ｓ×｛９＋０−８｝＝Ｌ×１３＋Ｓ×１に長手方向長さＬ：短手方向長さＳ＝ａ：ｂよりＬ＝Ｓ×（ａ／ｂ）であることから、ＲL ＝Ｓ×（９／５）×１３＋Ｓ×１＝｛（１１７／５）＋１｝×Ｓ＝２４．４×Ｓと同じ値となっている。
【０１４１】
又、同様に、上述したａ、ｂ、ｃ、ｄの値で、プレート部材２（単位ユニット３）を実際に配置してみると、実施例２−９の短手方向リピート長さＲS も、２４．４×Ｓとなっている。
一方、上記式２にａ＝９、ｂ＝５、ｃ＝０、ｄ＝８を代入して計算されるＲS ＝Ｓ×（９＋（７２／５）−８）＋Ｌ×｛５＋０｝＝Ｓ×｛１＋（７２／５）｝＋Ｌ×５に、長手方向長さＬ：短手方向長さＳ＝ａ：ｂよりＬ×ｂ＝Ｓ×ａであることから、ＲL ＝Ｓ×｛１＋（７２／５）｝＋Ｓ×９＝｛１０＋（７２／５）｝×Ｓ＝２４．４×Ｓとなり、実際に配置した時の実施例２−９の短手方向リピート長さＲS ２４．４×Ｓと同じ値となっている。
つまり、実施例２−９は、単位リピート配置部４が、短辺長さＳの２４．４倍もの一辺を持つ正方形状（ＲL ＝ＲS ＝２４．４×Ｓ）である。
【０１４２】
＜実施例２−１０（ａ：ｂ＝９：５（＝１．８：１．０）、ｄ＝９＞
図２３に示したように、実施例２−１０のリピート配置システム１は、プレート部材２の平面視形状が略矩形状であり、長手方向長さＬ：短手方向長さＳ：隙間Ｍの長手方向長さＭL ：隙間Ｍの短手方向長さＭS ＝ａ：ｂ：ｃ：ｄ＝９：５：０：９（＝１．８：１．０：０．０：１．８）である。
尚、実施例２−１０は、隙間Ｍの短手方向長さＭS が、長手方向長さＬと等しく（ｄ＝ａ）なっている。
又、実施例２−１０は、ｃ＝０且つｄ＞０より、各単位ユニット３（プレート部材２）間に隙間（又は別の部材）Ｍを有しながら敷き詰めて配置した第２実施形態のリピート配置システム１であって、その単位ユニット３は、Ｌ字型の単位ユニット３Ａであると言える。
【０１４３】
上述したａ、ｂ、ｃ、ｄの値で、プレート部材２（単位ユニット３）を実際に配置してみると、実施例２−１０の長手方向リピート長さＲL は、非常に小さく１．８×Ｓとなっている。
これは、上記式１にａ＝９、ｂ＝５、ｃ＝０、ｄ＝９を代入して計算されるＲL ＝Ｌ×（５＋９）＋Ｓ×｛９＋０−９｝＝Ｌ×１４＋Ｓ×０＝１４×Ｌ＋Ｓ×０となる。
このＲL ＝１４×Ｌ＋Ｓ×０は、上述したＲL ＝ｍ×｛Ｌ×ｘ＋Ｓ×ｙ｝において、ｍ＝１４で、ｘ＝１４、ｙ＝０の場合であり、長手方向リピート長さＲL は、１４で割ったＲL ＝Ｌとなる。
ここで、長手方向長さＬ：短手方向長さＳ＝ａ：ｂよりＬ＝Ｓ×（ａ／ｂ）＝Ｓ×（９／５）であることから、ＲL ＝Ｌ＝（９／５）×Ｓとなり、実際に配置した時の実施例２−１０の長手方向リピート長さＲL １．８×Ｓと同じ値となっている。
【０１４４】
又、同様に、上述したａ、ｂ、ｃ、ｄの値で、プレート部材２（単位ユニット３）を実際に配置してみると、実施例２−８の短手方向リピート長さＲS は、２５．２×Ｓとなっている。
一方、上記式２にａ＝９、ｂ＝５、ｃ＝０、ｄ＝９を代入して計算されるＲS ＝Ｓ×｛９＋（８１／５）−９｝＋Ｌ×（５＋０）＝Ｓ×（８１／５）＋Ｌ×５に、長手方向長さＬ：短手方向長さＳ＝ａ：ｂよりＬ×ｂ＝Ｓ×ａであることから、ＲL ＝Ｓ×｛９＋（８１／５）｝＝（１２６／５）×Ｓ＝２５．２×Ｓとなり、実際に配置した時の実施例２−１０の短手方向リピート長さＲS ２５．２×Ｓと同じ値となっている。
【０１４５】
つまり、実施例２−１０は、短手方向リピート長さＲS ２５．２×Ｓが、長手方向リピート長さＲL １．８×Ｓの１４倍となっており、単位リピート配置部４は、所定のプレート部材の長手方向Ｌ’に比べて短手方向Ｓ’が１４倍長い矩形状（言わば、非常に縦長の矩形状）となっている。
尚、この「１４」倍の値は、上記の式１で長手方向リピート長さＲL を計算した際に最後に割ったｍ＝「１４」の値と同じである。
【０１４６】
＜実施例２−１１（ａ：ｂ＝９：５（＝１．８：１．０）、ｄ＝１０＞
図２４に示したように、実施例２−１１のリピート配置システム１は、プレート部材２の平面視形状が略矩形状であって、長手方向長さＬ：短手方向長さＳ：隙間Ｍの長手方向長さＭL ：隙間Ｍの短手方向長さＭS ＝ａ：ｂ：ｃ：ｄ＝９：５：０：１０（＝１．８：１．０：０．０：２．０）である。
尚、実施例２−１１は、隙間Ｍの短手方向長さＭS が、長手方向長さＬより大きく（ｄ＞ａ）なっている。
又、実施例２−１１も、ｃ＞０且つｄ＝０より、各単位ユニット３（プレート部材２）間に隙間（又は別の部材）Ｍを有しながら敷き詰めて配置した第２実施形態のリピート配置システム１であって、その単位ユニット３は、Ｌ字型又は段違い型の単位ユニット３Ａ、３Ｅであると言える。
【０１４７】
上述したａ、ｂ、ｃ、ｄの値で、プレート部材２（単位ユニット３）を実際に配置してみると、実施例２−１１の長手方向リピート長さＲL は、２６．０×Ｓとなっており、これは、上記式１にａ＝９、ｂ＝５、ｃ＝０、ｄ＝１０を代入して計算されるＲL ＝Ｌ×（５＋１０）＋Ｓ×｛９＋０−１０｝＝Ｌ×１５−Ｓ×１に長手方向長さＬ：短手方向長さＳ＝ａ：ｂよりＬ＝Ｓ×（ａ／ｂ）であることから、ＲL ＝Ｓ×（９／５）×１５−Ｓ×１＝（２７−１）×Ｓ＝２６．０×Ｓと同じ値となっている。
【０１４８】
又、同様に、上述したａ、ｂ、ｃ、ｄの値で、プレート部材２（単位ユニット３）を実際に配置してみると、実施例２−１１の短手方向リピート長さＲS も、２６．０×Ｓとなっている。
一方、上記式２にａ＝９、ｂ＝５、ｃ＝０、ｄ＝８を代入して計算されるＲS ＝Ｓ×（９＋（９０／５）−１０）＋Ｌ×｛５＋０｝＝Ｓ×（１８−１）＋Ｌ×５に、長手方向長さＬ：短手方向長さＳ＝ａ：ｂよりＬ×ｂ＝Ｓ×ａであることから、ＲL ＝Ｓ×（１７＋９）＋Ｓ×９＝２６．０×Ｓとなり、実際に配置した時の実施例２−１１の短手方向リピート長さＲS ２６．０×Ｓと同じ値となっている。
つまり、実施例２−１１は、単位リピート配置部４が、短辺長さＳの２６．０倍もの一辺を持つ正方形状（ＲL ＝ＲS ＝２６．０×Ｓ）である。
【０１４９】
＜実施例２−１〜２−１１のまとめ＞
ここまで述べた実施例２−１〜２−１１の長手方向リピート長さＲL 、短手方向リピート長さＲS を、以下の表２にまとめる。
尚、表２における掲載順は、実施例の番号順である。
【０１５０】
【表２】
2018003417.tif 000006
【０１５１】
表２で示されたように、各実施例２−１〜２−１１のうち、ｃ＞０且つｄ＝０の実施例２−１〜２−５は、隙間Ｍの長手方向長さＭL の比率ｃの値が１増えるごとに、長手方向リピート長さＲL が１．８ずつ増えており、この１．８は、プレート部材２の比率（長手方向長さＬの短手方向長さＳに対する比率）に等しいとも言える。
一方、ｃ＝０且つｄ＞０の実施例２−６〜２−１１は、隙間Ｍの短手方向長さＭS の比率ｄの値が１増えるごとに、短手方向リピート長さＲS が０．８ずつ増えており、この０．８は、プレート部材２の比率１．８から短手方向長さＳに相当する比の値１．０を引いた値に等しいとも言える。
【０１５２】
又、実施例２−１、２−４、２−６〜２−８、２−１０は、単位リピート配置部４が矩形状となっており、上述したように、実施例２−１、２−４は、長手方向リピート長さＲL が短手方向リピート長さＲS の正の整数倍の横長の矩形状となっており、実施例２−６〜２−８、２−１０は、短手方向リピート長さＲS が長手方向リピート長さＲL の正の整数倍の縦長の矩形状となっている。
このような矩形状の単位リピート配置部４を持つリピート配置システム１は、上述した実施例１−５における長手方向長さＬ：短手方向長さＳ＝９：５と同じ比率のプレート部材２を用いているにも関わらず、隙間Ｍの長手方向長さＭL の比の値ｃや短手方向長さＭS の比の値ｄを少し変えて隙間（又は別の部材）Ｍを空けただけで、その単位リピート配置部４の長手方向リピート長さＲL や短手方向リピート長さＲS が、実施例１−５の長手方向リピート長さＲL （２×ａ×Ｓ）等より大きくなっており、より意匠性に富んだリピート配置システム１となると言える。
一方、矩形状の単位リピート配置部４の他方の短手方向リピート長さＲS や長手方向リピート長さＲL は、２×ａ×Ｓより小さい。
よって、矩形状の単位リピート配置部４を持つリピート配置システム１は、長手方向リピート長さＲL と短手方向リピート長さＲS のうち少なくとも一方が２×ａ×Ｓ以上である（長手方向リピート長さＲL が２×ａ×Ｓ）以上である、及び／又は、短手方向リピート長さＲS が２×ａ×Ｓ以上である）と言える。
【０１５３】
そして、それ以外の実施例（実施例２−２、２−３、２−５、２−９、２−１１）では、単位リピート配置部４の長手方向リピート長さＲL が短手方向リピート長さＲS と等しく（ＲL ＝ＲS ）、一辺を持つ正方形状となっている。
このような正方形状の単位リピート配置部４を持つリピート配置システム１は、上述した実施例１−５における長手方向長さＬ：短手方向長さＳ＝９：５と同じ比率のプレート部材２を用いているにも関わらず、隙間Ｍの長手方向長さＭL の比の値ｃや短手方向長さＭS の比の値ｄを少し変えて隙間（又は別の部材）Ｍを空けただけで、その単位リピート配置部４の長手方向リピート長さＲL 及び短手方向リピート長さＲS の両方が、実施例１−５の長手方向リピート長さＲL 等より大きくなっており、より意匠性に富んだリピート配置システム１となると言える。
よって、正方形状の単位リピート配置部４を持つリピート配置システム１は、長手方向リピート長さＲL と短手方向リピート長さＲS の両方が２×ａ×Ｓ以上である（長手方向リピート長さＲL が２×ａ×Ｓ）以上である、及び／又は、短手方向リピート長さＲS が２×ａ×Ｓ以上である）と言える。
【０１５４】
＜その他＞
尚、本発明は、前述した実施形態に限定されるものではない。リピート配置システム１、プレート部材２等の各構成又は全体の構造、形状、寸法などは、本発明の趣旨に沿って適宜変更することが出来る。
リピート配置システム１は、ａ、ｂが互いに素の正の整数であれば、ｃ、ｄは、整数以外、負の値であっても良い。
【０１５５】
尚、ｃ、ｄが負の値の場合、上述した実施例２−１〜２−１１における単位ユニット３の向きが反転させ且つ隙間Ｍの長手方向長さＭL の比率をｃの絶対値、及び／又は、隙間Ｍの短手方向長さＭS の比率をｄの絶対値としたリピート配置システム１となる。
上述した実施例２−１〜２−１１は、ａ：ｂ＝９：５のプレート部材２を用いて、隙間（又は別の部材）Ｍの大きさを様々に変化させたものであるが、上述した式１、式２は、当然、ａ：ｂ＝９：５以外のプレート部材２を用いた場合や、隙間Ｍにおける比の値ｃとｄが上述した値以外の場合でも適用できる。
【産業上の利用可能性】
【０１５６】
本発明のリピート配置システムは、床面だけでなく、壁面、天井面などの内装面、外装面などの何れの面（面部材）においても利用可能である。
【符号の説明】
【０１５７】
１          リピート配置システム
２          プレート部材
３          単位ユニット
４          単位リピート配置部
１０        プレート部材のプレート表面
１１        プレート部材の面取部
１１Ｗ      プレート部材の面取部の面取幅
１２        プレート部材の溝部
１２Ｗ      プレート部材の溝部の溝幅
Ｌ          長手方向長さ
Ｌ’        長手方向
Ｓ          短手方向長さ
Ｓ’        短手方向
ａ：ｂ      長手方向長さと短手方向長さの比
ｎ          正の整数
Ｒ          リピート長さ
ＲL         長手方向リピート長さ
ＲS         短手方向リピート長さ
【図１】
2018003417.tif 000007
【図２】
2018003417.tif 000008
【図３】
2018003417.tif 000009
【図４】
2018003417.tif 000010
【図５】
2018003417.tif 000011
【図６】
2018003417.tif 000012
【図７】
2018003417.tif 000013
【図８】
2018003417.tif 000014
【図９】
2018003417.tif 000015
【図１０】
2018003417.tif 000016
【図１１】
2018003417.tif 000017
【図１２】
2018003417.tif 000018
【図１３】
2018003417.tif 000019
【図１４】
2018003417.tif 000020
【図１５】
2018003417.tif 000021
【図１６】
2018003417.tif 000022
【図１７】
2018003417.tif 000023
【図１８】
2018003417.tif 000024
【図１９】
2018003417.tif 000025
【図２０】
2018003417.tif 000026
【図２１】
2018003417.tif 000027
【図２２】
2018003417.tif 000028
【図２３】
2018003417.tif 000029
【図２４】
2018003417.tif 000030